(57)【要約】【課題】ユーザプロファイル情報の各項目の公開制御を行える情報処理装置を提供する。【解決手段】記憶手段に、複数項目からなる個人のプロファイル情報が、項目のそれぞれについて、公開してよい程度を示すプライバシーレベルが付与されて記憶される。公開レベル設定手段１０６は、個人のプロファイル情報について、公開を許容するレベルを示す公開レベルを、プライバシーレベルにより設定する。抽出手段１０７は、記憶手段に記憶されているプロファイル情報から、公開レベル設定手段１０６で設定された公開レベルのプライバシーレベルにより許容される公開プロファイル情報部分を抽出する。推薦手段１０５は、抽出手段１０７で抽出した公開プロファイル情報部分を用いて、推薦対象を選択して利用者に報知する。【選択図】図４
2009140051.tif 000002
【特許請求の範囲】
【請求項１】
複数項目からなる個人のプロファイル情報が、前記項目のそれぞれについて、公開してよい程度を示すプライバシーレベルが付与されて記憶される記憶手段と、
前記個人のプロファイル情報について、公開を許容するレベルを示す公開レベルを、前記プライバシーレベルにより設定する公開レベル設定手段と、
前記記憶手段に記憶されている前記プロファイル情報から、前記公開レベル設定手段で設定された公開レベルのプライバシーレベルにより許容される前記公開プロファイル情報部分を抽出する抽出手段と、
前記抽出手段で抽出した前記公開プロファイル情報部分を用いて、推薦対象を推薦する推薦手段と、
を備える情報処理装置。
【請求項２】
請求項１に記載の情報処理装置において、
前記公開レベル設定手段は、前記推薦手段が前記利用者に前記推薦対象を推薦する際の状況を判断し、判断した状況に応じて自動的に前記公開レベルとするプライバシーレベルを設定する
ことを特徴とする情報処理装置。
【請求項３】
請求項２に記載の情報処理装置において、
撮像手段と、
マイクロホンと、
を備え、
前記公開レベル設定手段は、前記状況として、前記撮像手段で撮像されて得られた撮像データおよび／または前記マイクロホンで収音された音声データから、前記利用者の周囲環境状況を判断する
ことを特徴とする情報処理装置。
【請求項４】
請求項３に記載の情報処理装置において、
前記公開レベル設定手段は、前記撮像手段により撮像されて得られた撮像データおよび／またはマイクロホンで収音された音声データに基づいて、前記周囲環境状況が、使用者のみが存在する環境であるか、複数人が存在する環境であるかを判断し、その判断結果結果に応じて、使用者のみが存在する環境と、複数人が存在する環境とで、前記公開レベルとするプライバシーレベルを異なるものに設定する
ことを特徴とする情報処理装置。
【請求項５】
請求項１に記載の情報処理装置において、
ユーザの生体情報を取得する生体情報取得手段を備え、
前記公開レベル設定手段は、前記生体情報取得手段で取得した前記ユーザの生体情報に基づいて前記公開レベルとするプライバシーレベルを設定する
ことを特徴とする情報処理装置。
【請求項６】
請求項１に記載の情報処理装置において、
前記公開レベルとするプライバシーレベルと、ユーザのジェスチャーパターンおよび／または音声語パターンとを、予め対応付けて登録して記憶するパターン辞書手段と、
撮像手段と、
マイクロホンと、
前記撮像手段で撮像されて得られた撮像データから得られる画像パターンおよび／または前記マイクロホンで収音された音声データから得られる音声語パターンと、前記パターン辞書手段に記憶されている前記ジェスチャーパターンおよび／または音声語パターンとを比較して、一致したパターンがあったとき、当該一致したパターンに対応する前記公開レベルとするプライバシーレベルに、前記公開レベルを切り換える切換手段と、
を備えることを特徴とする情報処理装置。
【請求項７】
請求項１に記載の情報処理装置において、
前記記憶手段は、リムーバル記憶メディアを記憶素子として用いるものであり、
前記リムーバル記憶メディアの装填部を備える
ことを特徴とする情報処理装置。
【請求項８】
サーバ装置と、前記サーバ装置と有線で、または、無線で接続される推薦装置とからなる情報処理システムであって、
前記サーバ装置は、
複数項目からなる個人のプロファイル情報が、前記項目のそれぞれについて、公開してよい程度を示すプライバシーレベルが付与されて記憶されている記憶部と、
前記推薦装置からの取得要求に応じて前記プロファイル情報を前記推薦手段に送信する手段と、
を備え、
前記推薦装置は、
前記サーバ装置に前記取得要求を送って、前記サーバ装置から前記プロファイル情報を取得する取得手段と、
前記個人のプロファイル情報について、公開を許容するレベルを示す公開レベルを、前記プライバシーレベルにより設定する公開レベル設定手段と、
前記取得手段で取得した前記プロファイル情報から、前記公開レベル設定手段で設定された公開レベルのプライバシーレベルにより許容される前記公開プロファイル情報部分を抽出する抽出手段と、
前記抽出手段で抽出した前記公開プロファイル情報部分を用いて、推薦対象を推薦する推薦手段と、
を備える情報処理システム。
【請求項９】
サーバ装置と、前記サーバ装置と有線で、または、無線で接続される推薦装置とからなる情報処理装置であって、
前記サーバ装置は、
複数項目からなる個人のプロファイル情報が、前記項目のそれぞれについて、公開してよい程度を示すプライバシーレベルが付与されて記憶される記憶部と、
前記推薦装置からの、公開を許容するレベルを示す公開レベルとしての前記プライバシーレベルを含む取得要求に応じて、前記公開レベルにより許容されるプライバシーレベルの公開プロファイル情報部分を前記記憶部のプロファイル情報から抽出して、前記推薦手段に送信する手段と、
を備え、
前記推薦装置は、
前記個人のプロファイル情報について、前記公開レベルを、前記プライバシーレベルにより設定する公開レベル設定手段と、
前記サーバ装置に、前記公開レベルとして設定した前記プライバシーレベルを含む取得要求を送る手段と、
前記サーバ装置からの前記公開プロファイル情報部分を受信する受信手段と、
前記受信手段で受信した前記公開プロファイル情報部分を用いて、推薦対象を推薦する推薦手段と、
を備える情報処理システム。
【請求項１０】
請求項８または請求項９に記載の情報処理システムにおいて、
前記サーバ装置は、ローカルエリアネットワークを通じて前記推薦装置と接続されていることを特徴とする情報処理システム。
【請求項１１】
請求項８または請求項９に記載の情報処理システムにおいて、
前記サーバ装置は、インターネットを通じて前記推薦装置と接続されていることを特徴とする情報処理システム。
【請求項１２】
請求項８または請求項９に記載の情報処理システムにおいて、
前記推薦装置の前記公開レベル設定手段は、前記推薦装置の周囲環境状況を判断し、判断した周囲環境状況に応じて自動的に前記公開レベルとするプライバシーレベルを設定する
ことを特徴とする情報処理システム。
【請求項１３】
請求項８または請求項９に記載の情報処理システムにおいて、
前記推薦装置は、
前記公開レベルとするプライバシーレベルと、ユーザのジェスチャーパターンおよび／または音声語パターンとを、予め対応付けて登録して記憶するパターン辞書手段と、
撮像手段と、
マイクロホンと、
前記撮像手段で撮像されて得られた撮像データから得られる画像パターンおよび／または前記マイクロホンで収音された音声データから得られる音声語パターンと、前記パターン辞書手段に記憶されている前記ジェスチャーパターンおよび／または音声語パターンとを比較して、一致したパターンがあったとき、当該一致したパターンに対応する前記公開レベルとするプライバシーレベルに前記公開レベルに切り換える切り換え手段と、
を備えることを特徴とする情報処理システム。
【請求項１４】
サーバ装置と、前記サーバ装置と有線で、または、無線で接続される推薦装置とからなる情報処理システムであって、
前記サーバ装置は、
複数項目からなる個人のプロファイル情報が、前記項目のそれぞれについて、公開してよい程度を示すプライバシーレベルが付与されて記憶される記憶部と、
前記推薦装置からの当該推薦装置の周囲環境状況を解析するための情報を受信して解析し、その解析結果に基づいて、公開を許容するレベルを示す公開レベルを、前記プライバシーレベルにより設定する公開レベル設定手段と、
前記公開レベル設定手段で設定された公開レベルにより許容されるプライバシーレベルの公開プロファイル情報部分を前記記憶部のプロファイル情報から抽出して、前記推薦手段に送信する手段と、
を備え、
前記推薦装置は、
当該推薦装置の周囲環境状況を解析するための前記情報を収集して、前記サーバ装置に送信する手段と、
前記サーバ装置からの前記公開プロファイル情報部分を受信する受信手段と、
前記受信手段で受信した前記公開プロファイル情報部分を用いて、推薦対象を選択して利用者に報知するようにする推薦手段と、
を備える情報処理システム。
【請求項１５】
請求項１４に記載の情報処理システムにおいて、
前記推薦装置は、
撮像手段と、
マイクロホンと、
前記撮像手段で撮像して得た撮像画像データおよび／または前記マイクロホンにより収音した音声データを前記サーバ装置に送信する手段と、
を備え、
前記サーバ装置は、
前記公開レベルとするプライバシーレベルと、ユーザのジェスチャーパターンおよび／または音声語パターンとを、予め対応付けて登録して記憶するパターン辞書手段と、
前記推薦装置からの前記撮像画像データおよび／または前記音声データを受信する手段と、
前記撮像データから得られる画像パターンおよび／または前記マイクロホンで収音された音声データから得られる音声語パターンと、前記パターン辞書手段に記憶されている前記ジェスチャーパターンおよび／または音声語パターンとを比較して、一致したパターンがあったとき、当該一致したパターンに対応する前記公開レベルとするプライバシーレベルを変更する公開レベル切換手段と、
前記公開レベル切換手段で変更された公開レベルにより許容されるプライバシーレベルの公開プロファイル情報部分を前記記憶部のプロファイル情報から抽出して、前記推薦手段に送信する変更プロファイル送信手段と、
を備えることを特徴とする情報処理システム。
【請求項１６】
プロファイル情報提供装置と、推薦装置とからなる情報処理システムであって、
前記プロファイル情報提供装置は、
個人のプロファイル情報が、プロファイル項目のそれぞれについて、公開してよい程度を示すプライバシーレベルが付与されて記憶されている記憶部と、
前記個人のプロファイル情報について、公開する公開レベルを、前記プライバシーレベルにより設定する公開レベル設定手段と、
前記公開レベル設定手段で設定された公開レベルのプライバシーレベルにより許容される前記プロファイル情報を前記記憶部から読み出し、読み出したプロファイル情報を前記推薦装置に送信する送信手段と、
を備え、
前記推薦装置は、
前記プロファイル情報提供装置からのプロファイル情報を受信する受信手段と、
前記受信手段で受信した前記プロファイル情報を用いて、推薦対象を選択して利用者に報知するようにする推薦手段と、
を備える情報処理システム。
【請求項１７】
請求項１６に記載の情報処理システムにおいて、
前記プロファイル情報提供装置の前記公開レベル設定手段は、前記推薦装置の周囲環境状況を判断し、判断した周囲環境状況に応じて自動的に前記公開レベルとするプライバシーレベルを設定する
ことを特徴とする情報処理システム。
【請求項１８】
請求項１６に記載の情報処理システムにおいて、
前記プロファイル情報提供装置は、
前記公開レベルとするプライバシーレベルと、ユーザのジェスチャーパターンおよび／または音声語パターンとを、予め対応付けて登録して記憶するパターン辞書手段と、
撮像手段と、
マイクロホンと、
を備え、
前記公開レベル設定手段は、前記撮像手段で撮像されて得られた撮像データから得られる画像パターンおよび／または前記マイクロホンで収音された音声データから得られる音声語パターンと、前記パターン辞書手段に記憶されている前記ジェスチャーパターンおよび／または音声語パターンとを比較して、一致したパターンがあったとき、当該一致したパターンに対応する前記公開レベルとするプライバシーレベルを設定する
ことを特徴とする情報処理システム。
【請求項１９】
個人のプロファイル情報が、プロファイル項目のそれぞれについて、公開してよい程度を示すプライバシーレベルが付与されて記憶されている記憶部と、
前記個人のプロファイル情報について、公開する公開レベルを、前記プライバシーレベルにより設定する公開レベル設定手段と、
前記公開レベル設定手段で設定された公開レベルのプライバシーレベルにより許容される前記プロファイル情報を前記記憶部から読み出し、読み出したプロファイル情報を出力する出力手段と、
を備えることを特徴とする情報処理装置。
【請求項２０】
請求項１９に記載の情報処理装置において、
前記公開レベル設定手段は、前記推薦装置の周囲環境状況を判断し、判断した周囲環境状況に応じて自動的に前記公開レベルとするプライバシーレベルを設定する
ことを特徴とする情報処理装置。
【請求項２１】
請求項１９に記載の情報処理装置において、
前記公開レベルとするプライバシーレベルと、ユーザのジェスチャーパターンおよび／または音声語パターンとを、予め対応付けて登録して記憶するパターン辞書手段と、
撮像手段と、
マイクロホンと、
を備え、
前記公開レベル設定手段は、前記撮像手段で撮像されて得られた撮像データから得られる画像パターンおよび／または前記マイクロホンで収音された音声データから得られる音声語パターンと、前記パターン辞書手段に記憶されている前記ジェスチャーパターンおよび／または音声語パターンとを比較して、一致したパターンがあったとき、当該一致したパターンに対応する前記公開レベルとするプライバシーレベルを設定する
ことを特徴とする情報処理装置。
【請求項２２】
請求項１９に記載の情報処理装置において、
前記記憶手段は、リムーバル記憶メディアを記憶素子として用いるものである
ことを特徴とする情報処理装置。
【請求項２３】
複数項目からなり、前記項目のそれぞれについて、公開してよい程度を示すプライバシーレベルが付与された状態で送られてくる個人のプロファイル情報を受信する受信手段と、
前記個人のプロファイル情報について、前記公開レベルを、前記プライバシーレベルにより設定する公開レベル設定手段と、
前記受信手段で受信した前記プロファイル情報から、前記公開レベル設定手段で設定された公開レベルのプライバシーレベルにより許容される前記公開プロファイル情報部分を抽出する抽出手段と、
前記抽出手段で抽出した前記公開プロファイル情報部分を用いて、推薦対象を選択して利用者に報知するようにする推薦手段と、
を備える推薦装置。
【請求項２４】
請求項２３に記載の推薦装置において、
前記公開レベル設定手段は、前記推薦装置の周囲環境状況を判断し、判断した周囲環境状況に応じて自動的に前記公開レベルとするプライバシーレベルを設定する
ことを特徴とする推薦装置。
【請求項２５】
請求項２３に記載の情報処理装置において、
前記公開レベルとするプライバシーレベルと、ユーザのジェスチャーパターンおよび／または音声語パターンとを、予め対応付けて登録して記憶するパターン辞書手段と、
撮像手段と、
マイクロホンと、
を備え、
前記公開レベル設定手段は、前記撮像手段で撮像されて得られた撮像データから得られる画像パターンおよび／または前記マイクロホンで収音された音声データから得られる音声語パターンと、前記パターン辞書手段に記憶されている前記ジェスチャーパターンおよび／または音声語パターンとを比較して、一致したパターンがあったとき、当該一致したパターンに対応する前記公開レベルとするプライバシーレベルを設定する
ことを特徴とする推薦装置。
【請求項２６】
記憶手段と、公開レベル設定手段と、取得手段と、推薦手段とを備える情報処理装置における情報処理方法であって、
前記記憶手段が、複数項目からなる個人のプロファイル情報を、前記項目のそれぞれについて、公開してよい程度を示すプライバシーレベルを付与して記憶する記憶工程と、
前記公開レベル設定手段が、前記個人のプロファイル情報について、公開する公開レベルを、前記プライバシーレベルにより設定する公開レベル設定工程と、
前記取得手段が、前記記憶工程で記憶された前記プロファイル情報から、前記公開レベル設定工程で設定された公開レベルのプライバシーレベルにより許容される前記公開プロファイル情報部分を取得する取得工程と、
前記推薦手段が、前記取得工程で取得した前記公開プロファイル情報部分を用いて、推薦対象を選択して利用者に報知するようにする推薦工程と、
を備える情報処理方法。
【請求項２７】
複数項目からなる個人のプロファイル情報が、前記項目のそれぞれについて、公開してよい程度を示すプライバシーレベルが付与されて記憶されている記憶媒体。
【発明の詳細な説明】
【技術分野】
【０００１】
この発明は、ユーザ個人の個人情報や嗜好情報、視聴履歴情報、商品購入履歴情報などからなるプロファイル情報を用いて、映画や音楽などのコンテンツ、商品、その他の推薦対象を推薦するようにする場合に用いて好適な情報処理装置、情報処理システム、推薦装置、情報処理方法および記憶媒体に関する。
【背景技術】
【０００２】
ユーザ個人の年齢、性別、誕生日などの個人情報、食べ物や着る物などについての嗜好情報、テレビの視聴履歴や商品の購入領域などの履歴情報などを含むユーザ個人のプロファイル情報を用いて、当該ユーザに対して、テレビ受信機においてテレビ番組を推薦したり、インターネットショッピングにおいて、映像や音楽のコンテンツまたは商品を推薦したりすることが行われている。
【０００３】
例えば特許文献１（特開２００２−２９０８８６号公報）には、ＥＰＧ（Ｅｌｅｃｔｒｏｎｉｃ  Ｐｒｏｇｒａｍｍｉｎｇ  Ｇｕｉｄｅ；電子番組ガイド）データから、予め記憶されているユーザプロファイルに設定されている条件情報に応じて番組コンテンツを選択し、その選択したコンテンツを時系列順に並べてコンテンツ情報表を生成して、ユーザに提示することが記載されている。
【０００４】
また、インターネットの特定のサイトでは、ユーザの購入履歴、または検索履歴などのユーザプロファイルを基に、関連するコンテンツ（本、映画、音楽など）の推薦を行っている。
【０００５】
上記の特許文献は、次の通りである。
【特許文献１】特開２００２−２９０８８６号公報
【発明の開示】
【発明が解決しようとする課題】
【０００６】
上述したようなユーザのプロファイル情報を利用したコンテンツの推薦、ユサビリティの向上は、今後も、拡大することが予想される。また、ユーザのプロファイル情報は、上記の特定のサイトのみではなく、他のサイトや、家電機器でも利用されることが考えられ、様々な状況で利用されるようになることが予想される。
【０００７】
しかしながら、ユーザ個人のプロファイル情報を、全ての環境において、全て公開してしまうことは、コンテンツや商品などの推薦を受ける環境が、個人のみでの利用環境のみならず、友人やその他の人などと共有する環境などに、広がる状況においては、プライバシーの面において好ましくない場合が生じる。また、全て公開してしまうことは、本来、ユーザが公開したくないプロファイルや公開する必要の無いプロファイルも公開されてしまうことにもなる。
【０００８】
しかし、従来は、複数項目を備えるプロファイルの各項目についての公開するか否かの制御を行う方法は提供されていなかった。
【０００９】
この発明は、上記の問題点にかんがみ、ユーザプロファイル情報の各項目の公開制御を行えるようにした情報処理装置および方法を提供することを目的とする。
【課題を解決するための手段】
【００１０】
上記の課題を解決するために、この発明は、
複数項目からなる個人のプロファイル情報が、前記項目のそれぞれについて、公開してよい程度を示すプライバシーレベルが付与されて記憶される記憶手段と、
前記個人のプロファイル情報について、公開する公開レベルを、前記プライバシーレベルにより設定する公開レベル設定手段と、
前記記憶手段に記憶されている前記プロファイル情報から、前記公開レベル設定手段で設定された公開レベルのプライバシーレベルにより許容される前記公開プロファイル情報部分を取得する取得手段と、
前記取得手段で取得した前記公開プロファイル情報部分を用いて、推薦対象を推薦する推薦手段と、
を備える情報処理装置を提供する。
【００１１】
上記の構成の情報処理装置においては、個人のプロファイル情報の各項目には、公開してよい程度を示す公開レベルとしてのプライバシーレベルが付与されて記憶されている。したがって、この付与されているプライバシーレベルを用いて公開するプロファイルを制御することが可能になる。
【００１２】
例えば、この公開レベルを、その利用環境がユーザ個人のみの場合には、高いプライバシーレベルの項目までも公開しても良いように設定し、複数人が存在する利用環境においては、低いプライバシーレベルの項目のみを公開するように設定してプライバシーを保護することができる。
【発明の効果】
【００１３】
この発明によれば、個人のプロファイル情報の各項目には、公開してよい程度を示す公開レベルとしてのプライバシーレベルが設定されているので、この公開レベルとしてのプライバシーレベルを、利用環境に応じて設定することが可能となり、プライバシーを保護しながら、公開してよいプロファイル情報を公開することができるようになる。
【発明を実施するための最良の形態】
【００１４】
以下、この発明の幾つかの実施形態を、図を参照しながら説明する。
【００１５】
［第１の実施形態−この発明の情報処理システムの実施形態］
図１は、この発明による情報処理システムの実施形態である第１の実施形態の全体の概要を示す図である。この第１の実施形態の情報処理システムは、いわゆるホームＬＡＮ（Ｌｏｃａｌ  Ａｒｅａ  Ｎｅｔｗｏｒｋ）により構成されるものである。
【００１６】
すなわち、図１の例においては、ＬＡＮ６に、サーバ装置５と、それぞれ推薦装置の例を構成する複数の情報処理機器とが接続されて、ホームＬＡＮが構成されている。図１の例では、推薦装置の例としては、例えば住戸の各部屋に別々の設置されているテレビ受信機１，２と、ハードディスク記録再生装置３と、パーソナルコンピュータ（パソコンと略称する）４とが、ＬＡＮ６に接続されている。
【００１７】
この実施形態では、サーバ装置５は、家族構成員それぞれのユーザプロファイル（以下、単にプロファイルという）情報が、家族構成員それぞれの個人識別情報と対応付けられて記憶されているプロファイル格納部５Ｍを備えている。プロファイル格納部５Ｍは、例えばハードディスク装置（ＨＤＤ装置）で構成することができる。
【００１８】
個人識別情報は、この例では、名前や識別番号、続き柄、記号、それらの組み合わせなどが用いられて、各人を一意に識別できるように予め設定登録されている。
【００１９】
図２に、プロファイル格納部５Ｍの記憶内容の一例を示す。図２の例は、家族構成員が「父」、「母」、「長男」、「長女」、「次女」の５人である場合の例である。図２に示すように、家族構成員のそれぞれについて、プロファイル情報が個人識別情報に対応付けられて記憶されている。
【００２０】
プロファイル情報は、この例では、後述するように、推薦装置のいずれかを通じ、ＬＡＮ６を通じてサーバ装置５に送られてくるので、サーバ装置５は、それを受信して、個人識別情報に対応付けて、プロファイル格納部５Ｍに記憶するようにする。
【００２１】
更に、プロファイル格納部５Ｍには、家族構成員のそれぞれについて、視聴履歴、商品やコンテンツの購入履歴、行動履歴などの履歴情報が、同様に、個人識別情報に対応付けられて記憶されている。
【００２２】
履歴情報のうちの視聴履歴の情報は、後述するように、テレビ受信機１，２、ハードディスク記録再生装置３、パソコン４において、受信したテレビ放送番組コンテンツや、記録および／または再生したコンテンツ、また、インターネットからダウンロードして視聴したコンテンツの視聴履歴情報としてサーバ装置５に送られてくるので、サーバ装置５は、それを受信して、個人識別情報に対応付けて、プロファイル格納部５Ｍに記憶するようにする。
【００２３】
また、インターネットを通じて購入した商品の購入履歴（商品名や購入サイトの情報など）が、パソコン４からＬＡＮ６を通じてサーバ装置５に送られる。また、パソコン４を通じてユーザが、購入商品を入力することで、その購入履歴が、パソコン４からサーバ装置５に送られるようにすることもできる。サーバ装置５は、それら購入履歴の情報を受信して、個人識別情報に対応付けて、プロファイル格納部５Ｍに記憶するようにする。
【００２４】
また、インターネット上でのいわゆるネットサーフィンの行動履歴情報（例えばＵＲＬ（Ｕｎｉｆｏｒｍ  Ｒｅｓｏｕｒｃｅ  Ｌｏｃａｔｏｒ）やサイト名など）や、例えば時間帯ごとに何時も良く見るサイト、などの行動履歴の情報が、パソコン４からＬＡＮ６を通じてサーバ装置５に送られる。また、パソコン４を通じてユーザが、例えばブログなどに書き込みをすることで得られる当該ユーザの行動履歴情報（場所名など）が、パソコン４からサーバ装置５に送られるようにすることもできる。サーバ装置５は、それら行動履歴の情報を受信して、個人識別情報に対応付けて、プロファイル格納部５Ｍに記憶するようにする。
【００２５】
この実施形態では、後述するように、サーバ装置５は、これらの履歴情報から、プロファイル項目の候補となるものを抽出して、ユーザに提示し、ユーザの登録指示に応じて、プロファイル項目として追加登録することができるようにしている。
【００２６】
図３は、個人のプロファイル情報の一例である。この図３の例では、プロファイル情報は、個人情報と、嗜好に関する情報と、履歴に関する情報とから構成されている。プロファイル情報は、この図３に示すものに限られるものではなく、個人に属する属性情報としての性格を備える項目の情報であれば、どのような項目の情報をもプロファイル情報として扱えるものである。
【００２７】
図３の例では、個人情報は、氏名と、性別と、生年月日と、住所と、クレジット番号の各項目（細項目）の情報からなる。
【００２８】
嗜好の情報としては、食べ物、飲み物、衣服・靴、映画、本、テレビ（ＴＶ）、スポーツなどの大分類項目が挙げられ、それらの大分類項目の下位の階層として、種類、テイスト、ブランド、価格、ジャンル、俳優、出演者などの中分類項目が挙げられる。そして、それら中分類項目の下位の階層として、具体的なプロファイル項目となる図３に示すような細項目が挙げられる。そして、場合によっては、それら細項目の下位の階層として更に、微細な細項目が挙げられる場合もある。
【００２９】
履歴に関する情報としては、この例では、購入、視聴、行動の３つの履歴ジャンルが登録されている。
【００３０】
そして、分類項目の下位の、図３において「＊」を付して示すプロファイル項目の細項目には、後述するようにして、プライバシーレベルが、ユーザにより付与されている。このプライバシーレベルは、ユーザが自分のプロファイル情報を公開して良い程度（レベル）を示すもので、例えば５段階のレベルなどの複数段階のレベルを付与することができるようにされている。
【００３１】
例えばプライバシーレベルを５段階に設定することができるようにした場合、レベル１、レベル２、・・・、レベル５のいずれかを、各プロファイル項目の細項目に対して設定することができる。ここで、この例では、レベル数字が低いほど、公開度が高く（共有度が高い）、レベル数字が高いほど、公開度が低い（秘匿度が高い）ものとしている。
【００３２】
テレビ受信機１、テレビ受信機２、ハードディスク記録再生装置３およびパソコン４は、それぞれこの実施形態の情報処理システムにおける推薦装置を構成するものである。これら、テレビ受信機１、テレビ受信機２、ハードディスク記録再生装置３およびパソコン４は、それぞれ、個人識別用の撮像情報を取得するためのカメラ部１ＣＡＭ、２ＣＡＭ、３ＣＡＭおよび４ＣＡＭを備えると共に、個人識別用の声情報を取得するためのマイクロホン１ＭＣ，２ＭＣ、３ＭＣおよび４ＭＣを備える。
【００３３】
この実施形態において、推薦装置を構成するテレビ受信機１、テレビ受信機２、ハードディスク記録再生装置３およびパソコン４のそれぞれは、本来のテレビ受信表示機能、記録再生機能、情報処理機能の外に、サーバ装置５に各推薦装置の利用者（使用者）のプロファイル情報をプライバシーレベル付きで登録する登録機能と、サーバ装置５から各推薦装置の利用者（使用者）のプロファイル情報を取得する取得機能と、利用者のプロファイル情報について公開を許容するレベルである公開レベルをプライバシーレベルにより設定する公開レベル設定機能と、設定された公開レベルを変更切換する公開レベル切換機能とを備える。
【００３４】
そして、この実施形態においては、サーバ装置５は、推薦装置を構成するテレビ受信機１、テレビ受信機２、ハードディスク記録再生装置３およびパソコン４のそれぞれからのプライバシーレベル付きのプロファイル情報の登録要求に応じて、各推薦装置から受信した利用者毎のプライバシーレベル付きのプロファイル情報を、当該利用者の個人識別情報に対応付けて、プロファイル格納部５Ｍに格納する機能と、各推薦装置からの利用者毎についてのプロファイル情報の取得要求に応じて、当該利用者毎のプライバシーレベル付きのプロファイル情報を、要求してきた推薦装置に送信する機能とを備える。
【００３５】
［実施形態の推薦装置の構成例］
上記の推薦装置の構成例を、テレビ受信機１の場合を例にとって説明する。図４は、テレビ受信機１のハードウエア構成例を示すブロック図であり、テレビ受信機としての本来の機能部１０と、この実施形態の推薦装置の上述した機能部１００とからなる。
【００３６】
本来の機能部１０は、テレビ信号受信表示系と制御系とからなる。この例のテレビ受信機１は、地上デジタルテレビ放送の受信機の構成であり、テレビ信号受信表示系は、フロントエンド部１１と、デマルチプレクサ１２と、ビデオ処理部１３と、オーディオ処理部１４と、加算部１５と、ＯＳＤ（Ｏｎ  Ｓｃｒｅｅｎ  Ｄｉｓｐｌａｙ）部１６と、モニターディスプレイ１７と、スピーカ１８とからなる。
【００３７】
また、制御系は、マイクロコンピュータにより構成される制御部２０に対して、システムバス２１を介して、Ｉ／Ｏポート２２〜２５と、ユーザインターフェース２６とが接続されて構成されている。ユーザインターフェース２６には、リモコンによる指示操作手段を含むものである。
【００３８】
フロントエンド部１１では、Ｉ／Ｏポート２２を通じた制御信号を制御部２０から受けて、受信信号から、ユーザインターフェース２６を通じて選択指定された放送番組コンテンツのデータ部分を抽出し、デマルチプレクサ１２に供給する。
【００３９】
デマルチプレクサ１２は、前記指定された放送番組コンテンツのデータ部分からビデオデータと、オーディオデータと、ＥＰＧデータとを分離し、ビデオデータはビデオ処理部１３に、オーディオデータはオーディオ処理部１４に供給すると共に、ＥＰＧデータをＩ／Ｏポート２３を通じて制御部２０に送るようにする。制御部２０は、このＥＰＧデータを、例えば視聴履歴情報として蓄積するため等に利用する。
【００４０】
ビデオ処理部１３は、デマルチプレクサ１２からのビデオデータをデコードして表示用映像信号を生成し、合成部１５を通じてモニターディスプレイ１７に供給して、ユーザインターフェース２６を通じて選択指定された放送番組コンテンツの画像をディスプレイ１７の画面に表示するようにする。合成部１５には、ＯＳＤ部１６からの放送番組コンテンツの映像に重ねて表示する表示情報が供給されて、ビデオ処理部１３からの表示用映像信号と合成される。
【００４１】
オーディオ処理部１４は、デマルチプレクサ１２からのオーディオデータをデコードして音声信号を生成し、スピーカ１８に供給して、放送番組コンテンツの音声を音響再生させるようにする。
【００４２】
なお、ビデオ処理部１３およびオーディオ処理部１４には、制御部２０からの制御信号がＩ／Ｏポート２４および２５をそれぞれ通じて供給されて、画質調整や音質調整などがなされる。
【００４３】
以上が、テレビ受信機１が本来備える機能部の処理動作である。次に、この実施形態の推薦装置としての機能部１００について説明する。
【００４４】
この推薦装置としての機能部１００は、この例では、制御部２０と、カメラ部１ＣＡＭと、マイクロホン１ＭＣと、通信インターフェース１０１と、家族識別情報記憶部１０２と、撮像画像データ処理部１０３と、音声データ処理部１０４と、コンテンツ推薦部１０５と、公開レベル設定部１０６と、公開プロファイル情報部分抽出部１０７と、パターン記憶部１０８と、パターンマッチング部１０９とがシステムバス２１を通じて接続されている構成部分からなるものである。
【００４５】
ここで、カメラ部１ＣＡＭは、カメラインターフェース１１０を通じてシステムバス２１に接続されている。また、マイクロホン１ＭＣからの音声信号は、オーディオアンプ１１１を通じてＡ／Ｄコンバータ１１２に供給されて、デジタルオーディオ信号とされ、そのデジタルオーディオ信号がＩ／Ｏポート１１３を通じてシステムバス２１に供給される構成とされている。
【００４６】
通信インターフェース１０１は、サーバ装置５や他の推薦装置が接続されているＬＡＮ６に接続するためのものである。
【００４７】
家族識別情報記憶部１０２には、この例では、カメラ部１ＣＡＭにより撮像されて取得された家族構成員の各人の顔画像情報およびマイクロホン１ＭＣにより収音された家族構成員の各人の声情報が、図２に示した個人識別情報と対応付けられて予め登録されて記憶されている。図５に、この家族識別情報記憶部１０２の記憶情報の例を示す。
【００４８】
この家族識別情報記憶部１０２は、この実施形態のテレビ受信機１においては、カメラ部１ＣＡＭにより撮像された顔画像情報および／またはマイクロホン１ＭＣにより収音された人声情報から、当該テレビ受信機１の視聴者が誰であるか（複数人の場合を含む）を自動認識することができるようにする機能を備えるようにするために設けられている。
【００４９】
家族識別情報記録部１０２への顔画像情報および声情報の登録処理の詳細は省略するが、簡単に説明すると次のようになる。家族構成員の各人は、予め自分の個人識別情報を定めてそれを家族識別情報記憶部１０２に登録しておく。次に、カメラ部１ＣＡＭに自分の顔を撮像させ、その撮像出力である顔画像情報を、登録した個人識別情報に対応付けて家族識別情報記憶部１０２に書き込んで登録するようにする。同様に、マイクロホン１ＭＣに自分の声を収音させ、その収音された声情報を、登録した個人識別情報に対応付けて家族識別情報記憶部１０２に書き込んで登録するようにする。
【００５０】
撮像画像データ処理部１０３は、この例では、カメラ部１ＣＡＭからカメラインターフェース１０９およびシステムバス２１を通じて送られてくる撮像画像データについて、画像認識処理を行う。この画像認識処理には、家族識別情報記憶部１０２に登録されている家族構成員の顔画像と、撮像画像に含まれる顔画像とのマッチング処理を行なって、家族構成員の顔画像が撮像画像に含まれているかどうかを認識する個人認識処理と、撮像画像に含まれる顔画像の数により、テレビ受信機１の視聴者が一人か、複数人かの判断を行う周辺環境状況認識処理とが含まれる。
【００５１】
撮像画像データ処理部１０３は、個人認識処理の処理結果として、家族構成員の顔画像が撮像画像に含まれていると認識したときに、家族識別情報記憶部１０２に登録されている個人識別情報を出力する。
【００５２】
また、撮像画像データ処理部１０３は、周辺環境状況認識処理の処理結果として、テレビ受信機１の視聴者が一人であるか、複数人であるかを示す人数情報を出力する。
【００５３】
音声データ処理部１０４は、Ｉ／Ｏポート１１２およびシステムバス２１を通じて送られてくるマイクロホン１ＭＣで収音された声情報の音声データについて音声認識処理を行う。この音声認識処理には、家族識別情報記憶部１０２に登録されている家族構成員の声情報と、音声データに含まれる声情報とのマッチング処理を行なって、家族構成員の声が音声データに含まれているかどうかを認識する個人認識処理と、音声データに含まれる異なる声として認識される数により、テレビ受信機１の視聴者が一人か、複数人かの判断を行う周辺環境状況認識処理とが含まれる。
【００５４】
音声データ処理部１０４は、個人認識処理の処理結果として、家族構成員の声情報が音声データに含まれていると認識したときに、家族識別情報記憶部１０２に登録されている個人識別情報を出力する。
【００５５】
また、音声データ処理部１０４は、周辺環境状況認識処理の処理結果として、テレビ受信機１の視聴者が一人であるか、複数人であるかを示す人数情報を出力する。
【００５６】
コンテンツ推薦部１０５は、後述するように、サーバ装置５から取得するプロファイル情報のうち、公開して良いと判定された公開プロファイル情報部分を用いて、例えばＥＰＧデータにより放送中あるいは放送予定とされている複数のテレビ放送番組コンテンツの中から、視聴中の視聴者に好ましいと認定される１または複数のテレビ放送番組コンテンツを推薦する。
【００５７】
このコンテンツ推薦部１０５におけるテレビ放送番組コンテンツの推薦方法としては、従来から種々提案されており、それら提案されている方法を用いることができる。この発明では、テレビ放送番組コンテンツの推薦の方法には特徴が無いので、当該推薦の方法についての詳細な説明は省略する。
【００５８】
公開レベル設定部１０６は、後述するように、サーバ装置５から取得するプロファイル情報のうち、コンテンツ推薦部１０５で用いる、公開して良いと判定される公開プロファイル情報部分を特定するために用いられる公開レベルを、前述したプライバシーレベルにより設定する。
【００５９】
例えば、公開レベルが「プライバシーレベルのレベル２まで」と設定された場合には、付加されているプライバシーレベルがレベル１およびレベル２であるプロファイル項目が公開して良い項目として設定されたことを意味する。また、公開レベルが「プライバシーレベルのレベル３」と設定された場合には、付加されているプライバシーレベルがレベル３であるプロファイル項目のみが公開して良い項目として設定されたことを意味する。
【００６０】
この公開レベル設定部１０６における公開レベルの設定は、この実施形態においては、初期的には、後述するように、テレビ受信機１の視聴者の周辺環境状況（視聴環境状況）に応じて、自動的に設定する。例えば、この実施形態では、一人で視聴している環境か、複数人で視聴している環境かに応じて、公開レベルは自動的に設定される。
【００６１】
例えば、公開レベル設定部１０６は、この実施形態では、テレビ受信機の放送番組コンテンツを当該ユーザが一人で視聴する環境であると判断したときには、公開レベルを「プライバシーレベルのレベル５まで」として、最高のプライバシーレベルまでの全てのプロファイル項目を用いて放送番組コンテンツの推薦をすることを許可するように、公開レベルを設定する。
【００６２】
また、公開レベル設定部１０６は、例えばテレビ受信機の放送番組コンテンツを当該ユーザが一人のみで視聴するのではなく、複数人で視聴する環境であると判断したときには、公開レベルを「プライバシーレベルのレベル２まで」として、秘匿度の高いプロファイル項目を除くプロファイル項目を用いて放送番組コンテンツの推薦をすることを許可するように、公開レベルを設定する。
【００６３】
公開プロファイル情報部分抽出部１０７は、サーバ装置５から取得したプロファイル情報を一時蓄積する記憶部（図示は省略）を備えると共に、公開レベル設定部１０６で設定された公開レベルを用いて、記憶部に一時格納しているプロファイル情報から、公開が許可されている公開プロファイル情報部分を抽出して、コンテンツ推薦部１０５に渡す処理を行う。なお、コンテンツ推薦処理が終了した後には、サーバ装置５から取得したプロファイル情報および公開プロファイル情報部分は、一時記憶部から消去される。
【００６４】
そして、この実施形態では、後述するように、視聴者のジェスチャーや視聴者が発声した音声語などの入力に応じて、上記のように公開レベル設定部１０６で自動的に設定した公開レベルを切換変更設定することができるように構成されている。
【００６５】
これは、公開レベルは、状況に応じて容易に変更可能とすることが望ましいからである。ここで、想定する状況とは、例えばテレビ放送番組の視聴を例に取ると、
ａ）家族でリビングでの視聴
ｂ）個人（１人）で部屋での視聴
ｃ）友人との視聴
ｄ）恋人との視聴
などが挙げられる。
【００６６】
各状況で、ユーザ自身がプロファイル情報を公開してもいいレベルは異なる。例えば、上記ａ）の場合、公開レベルとして、プライバシーレベルのレベル１のみを公開するように設定することで、より高い公開レベルのプロファイル情報を公開する子供の嗜好を優先することが可能となる。
【００６７】
また、ｃ）、ｄ）の場合など、共通する嗜好に合わせた番組の推薦を受けたい場合などには、相手に知られても良いレベルまでの公開とすることで、互いのプライバシーを守りながら、マージしたプロファイル情報に基づいた放送番組コンテンツの推薦を受けることができるようにすることが可能となる。
【００６８】
パターン記憶部１０８および公開レベル切換判定部１０９は、この公開レベルの切換変更設定のために用いられる処理部である。
【００６９】
パターン記憶部１０８は、家族識別情報記憶部１０２に登録されている個人識別情報のそれぞれ毎に、公開レベルを切り替える切換制御パターンを記憶する切換制御パターン辞書の記憶エリアを備えると共に、切換制御パターンを作成するための素となる要素パターンを記憶する記憶エリアを備える。この例では、切換制御パターンは、ユーザ各人が、自分が登録した要素パターンを組み合わせることにより、ユーザ各人毎に独自のものとして作成して切換制御パターン辞書に登録することができるものとされている。切換制御パターンは、要素パターンの１つからなるものとして登録することもできるし、複数個を組み合わせたものを登録することもできる。
【００７０】
要素パターンとしては、ユーザの所作（ジェスチャー）をカメラ部１ＣＡＭで撮影した画像情報として登録することができる、ユーザのジェスチャーパターンと、ユーザが発声した音声語（発声語と称することとする）をマイクロホン１ＭＣで収音して音声情報として登録することができるユーザの発声語パターンとが、この実施形態では用いることができるようにされている。
【００７１】
要素パターンの例を図６および図７に示す。図６の例は、ユーザのジェスチャーパターンの例であり、この例では、片手または両手の所作により表現される種々のジェスチャーパターンを示している。また、図７は、ユーザの発声語パターンの例であり、単語のみならず、複数の語からなる句（ｐｈｒａｓｅやｃｌａｕｓｅ）で構成することもできる。
【００７２】
図８は、ある一人のユーザについての切換制御パターン辞書に登録されている、要素パターンの組み合わせからなる切換制御パターンの例を示すものであり、それぞれの切換制御パターンに対して、設定される公開レベルの意味内容が対応付けられて登録されるものである。
【００７３】
切換制御パターン１は、２種類のジェスチャーパターンの組み合わせからなる切換制御パターンの一例であり、対応するその意味内容として、プライバシーレベルのレベル５のプロファイル項目のみの公開を許可することが設定されている。
【００７４】
切換制御パターン２は、発声語パターンとジェスチャーパターンとの組み合わせからなる切換制御パターンの一例であり、対応するその意味内容として、プライバシーレベルのレベル５のプロファイル項目のみの公開を許可することが設定されている。このように、この例では、同じ意味内容を有する複数の切換制御パターンを辞書登録することも可能としている。
【００７５】
切換制御パターン３は、３種類のジェスチャーパターンの組み合わせからなる切換制御パターンの一例であり、対応するその意味内容として、プライバシーレベルのレベル３からレベル５のプロファイル項目の公開を許可することが設定されている。
【００７６】
図８に示した切換制御パターンは、ほんの一例であり、種々の要素パターンの組み合わせからなる切換制御パターンを登録することが可能である。そして、前述もしたように、パターン記憶部１０８には、この例では、家族構成員の各人についての要素パターンと、切換制御パターン辞書とが、それぞれ個人識別情報により対応付けられて記憶されている。
【００７７】
公開レベル切換判定部１０９は、パターンマッチング処理機能を備え、カメラ部１ＣＡＭから取り込まれた撮像画像に含まれるジェスチャーパターンや、マイクロホン１ＭＣにより収音された音声に含まれる発声語パターンと、パターン記憶部１０７の切換制御パターン辞書に登録されている切換制御パターンとのパターンマッチング処理を行って、ユーザにより切換制御パターンが入力されたか否かを判定する。
【００７８】
公開レベル切換判定部１０９は、カメラ部１ＣＡＭから取り込まれた撮像画像に含まれるジェスチャーパターンや、マイクロホン１ＭＣにより収音された音声に含まれる発声語パターンが、切換制御パターン辞書に登録されている切換制御パターンのいずれかと一致したと判別したときには、公開レベルが切換変更されたこと、および切換変更後の公開レベルをシステムバス２１を通じて制御部２０に通知するようにする。
【００７９】
制御部２０は、この通知を受けて、切換変更後の公開レベルを公開プロファイル抽出部１０７に転送する。公開プロファイル抽出部１０７は、この切り換え変更された公開レベルを受けたときには、当該切り替え変更された公開レベルを用いて、記憶部に一時格納されているプロファイル情報から、切り換え変更後の公開レベルで公開が許可されている公開プロファイル情報部分を抽出して、コンテンツ推薦部１０５に渡す処理も行なう。
【００８０】
コンテンツ推薦部１０５は、これを受けて、切り換え変更後の公開プロファイル情報部分を用いて、新たなコンテンツ推薦を行うようにする。
【００８１】
以上が、推薦装置の例としてのテレビ受像機１の構成の説明であるが、他の推薦装置の例としてのテレビ受信機２、ハードディスク記録再生装置３、パソコン４も、その本来の機能部分に加えて、上述したテレビ受信機１の推薦装置としての機能部１００を備える構成とされるものである。
【００８２】
なお、撮像データ処理部１０３、音声データ処理部１０４、コンテンツ推薦部１０５、公開レベル設定部１０６、公開プロファイル抽出部１０７、公開レベル切換判定部１０９のそれぞれは、その一部または全部をソフトウエアプログラムによる処理機能手段に置き換えることが可能である。
【００８３】
次に、推薦装置としての機能部１００の主要な処理動作の例を説明することとする。なお、それらの処理動作も、図４に示したテレビ受信機１の場合として説明する。
【００８４】
［プロファイル情報の登録処理］
＜ユーザによるテレビ受信機１を通じたプロファイル情報の登録＞
図９は、ユーザ、例えば家族構成員が、プライバシーレベルの設定を伴うプロファイル情報を、テレビ受信機１を通じてサーバ装置５に登録する処理の例を説明するためのフローチャートである。この図９の例においては、テレビ受信機１の制御部２０が各ステップの処理を実行するものである。なお、この図９の処理ルーチンは、ユーザが、操作メニューからプロファイル情報の登録を選択したときにスタートする。
【００８５】
先ず、制御部２０は、プロファイル情報を登録するユーザ個人を識別する（ステップＳ１）。この識別処理においては、カメラ部１ＣＡＭで登録ユーザの顔を撮影し、その撮影画像と、家族識別情報記憶部１０２に登録されている顔画像（登録顔画像）とを比較して、一致する登録顔画像を判定し、一致する登録顔画像を認識したら、対応する個人識別情報を取得する。あるいは、マイクロホン１ＭＣで登録ユーザの声を収音し、その収音した発声音声と、家族識別情報記憶部１０２に登録されている声音声（登録声音声）とを比較して、一致する登録声音声を判定し、一致する登録声音声を認識したら、対応する個人識別情報を取得する。一致しているか否かの判定は、顔画像のみの一致、あるいは声音声のみの一致でもよいし、顔画像と声音声との両者の一致を条件としてもよい。
【００８６】
次に、制御部２０は、例えば音声やモニターディスプレイ１７の画面上の表示により、ユーザによるプロファイル情報の入力を促し、ユーザによるプロファイル情報の入力受付を待つ（ステップＳ２）。このプロファイル情報の入力は、例えばユーザの氏名、生年月日、性別、などの個人情報のほか、嗜好の情報や、履歴の情報を直接的に入力することを想定している。
【００８７】
ステップＳ２でユーザからのプロファイル情報の入力を受け付けたと判別したときには、制御部２０は、受け付けたプロファイル情報の項目を、モニターディスプレイ１７の画面に表示して、ユーザに対して確認報知する（ステップＳ３）。
【００８８】
次に、制御部２０は、受け付けたプロファイル情報の項目に対して、プライバシーレベルの設定入力をするように促すメッセージを、スピーカ１８からの音声により、あるいはＯＳＤ１６を通じて画面に重畳表示する文字メッセージとして、ユーザに報知する（ステップＳ４）。
【００８９】
ユーザは、これを受けてプライバシーレベルの設定入力を行うので、制御部２０は、このプライバシーレベルの設定入力を待ち（ステップＳ５）、プライバシーレベルの設定入力があったと判別したときには、受け付けたプロファイル情報と、それに付与したプライバシーレベルとを、ステップＳ１で認識した個人識別情報と共に、ＬＡＮ６を通じてサーバ装置５に、登録情報として送信する（ステップＳ６）。サーバ装置５は、このステップＳ６で送信された登録情報を受けて、後述するように個人識別情報に対応付けて、受信したプライバシーレベル付きのプロファイル情報をプロファイル格納部５Ｍに格納して登録するようにする。
【００９０】
ステップＳ６の後には、ステップＳ２に戻り、ステップＳ２以降の処理を繰り返す。
【００９１】
また、ステップＳ２で、ユーザからのプロファイル情報の受付入力が無いと判別したときには、制御部２０は、ユーザは、番組コンテンツを視聴中であるか否か判別し（ステップＳ７）、視聴中でなければ、ステップＳ２に戻って、ユーザのプロファイル情報の入力を待つ。
【００９２】
また、ステップＳ７でユーザが番組コンテンツを視聴中であると判別したときには、制御部２０は、当該番組コンテンツについて、例えばＥＰＧデータから抽出される履歴データなどを、ステップＳ１で取得した個人識別情報と共に、ＬＡＮ６を通じてサーバ装置５に送るようにする（ステップＳ８）。サーバ装置５は、この視聴履歴情報を受けて、プロファイル格納部５Ｍに格納するようにする。
【００９３】
ステップＳ８の後には、ステップＳ２に戻り、ステップＳ２以降の処理を繰り返す。
【００９４】
この図９の例は、テレビ受信機の例であるので、視聴履歴情報のみをサーバ装置５に送るようにしたが、推薦装置がパソコンの場合であれば、購入履歴や行動履歴の情報もサーバ装置５に送るようにすることができるものである。
【００９５】
＜プライバシーレベルの付与および変更＞
図９の例は、プロファイル情報をユーザが手入力する場合を想定したときのプロファイル情報の登録処理例である。この実施形態では、サーバ装置５は、収集した視聴履歴情報や購入履歴情報、行動履歴情報から、プロファイル情報の項目とすることができる項目事項を抽出することができる。
【００９６】
そして、この実施形態では、サーバ装置５は、履歴情報から抽出したプロファイル情報の項目候補を、推薦装置を通じてユーザに提示することができるように構成されている。そして、推薦装置は、その項目候補を、プロファイル項目として採用するかどうかをユーザに決定させ、プロファイル項目としたときには、プライバシーレベルを当該プロファイル項目に設定させて、サーバ装置に登録することができるように構成されている。
【００９７】
また、この実施形態では、ユーザが、設定したプライバシーレベルを、変更することができるように構成されている。
【００９８】
図１０および図１１は、このプロファイル情報の項目候補の提示およびそのプロファイル項目の登録およびプライバシーレベルの変更の処理動作例を説明するためのフローチャートである。この図１０および図１１の例においては、テレビ受信機１の制御部２０が各ステップの処理を実行するものである。なお、この図１０および図１１の処理ルーチンは、ユーザが、操作メニューからプライバシーレベルの設定／変更を選択したときにスタートする。
【００９９】
先ず、制御部２０は、前述した図９のステップＳ１と同様にして、プロファイル情報を登録するユーザ個人を識別する処理を行なった結果として、個人識別情報を取得する（ステップＳ１１）。
【０１００】
次に、制御部２０は、ユーザの指示に応じて、サーバ装置５に、未処理のプロファイル情報の項目候補の受信要求を送る（ステップＳ１２）。
【０１０１】
この要求に対しては、サーバ装置５は、未処理のプロファイル情報の項目候補が存在すれば、要求した推薦装置に送る。また、未処理のプロファイル情報の項目候補が存在しなければ、サーバ装置５は、その旨の情報を、要求した推薦装置に送る。
【０１０２】
そこで、制御部２０は、未処理のプロファイル情報の項目候補の受信要求に対応してサーバ装置５から送られてくる情報を受信し（ステップＳ１３）、その受信した情報を解析して、未処理のプロファイル情報の項目候補が有るか否か判別する（ステップＳ１４）。
【０１０３】
そして、未処理のプロファイル情報の項目候補が有ると判別したときには、制御部２０は、当該未処理のプロファイル情報の項目候補の最初のものを、例えばモニターディスプレイ１７の画面に表示してユーザに提示する（ステップＳ１４）。この項目候補の提示画面においては、当該項目候補を登録するか否かをユーザが選択して指示操作するための指示アイコンが併せて表示されている。ユーザは、この指示アイコンを通じて、登録するか否かの指示をする。
【０１０４】
制御部２０は、ユーザの指示を受けて、当該項目候補を登録するか否かの判定し（ステップＳ１６）、登録すると判別したときには、当該項目候補についてのプライバシーレベルの設定入力をするように促すメッセージを、スピーカ１８からの音声により、あるいはＯＳＤ１６を通じて画面に重畳表示する文字メッセージとして、ユーザに報知する（ステップＳ１７）。
【０１０５】
ユーザは、これを受けてプライバシーレベルの設定入力を行うので、制御部２０は、このプライバシーレベルの設定入力を待ち（ステップＳ１８）、プライバシーレベルの設定入力があったと判別したときには、受け付けたプロファイル情報と、それに付与したプライバシーレベルとを、ステップＳ１１で認識した個人識別情報と共に、ＬＡＮ６を通じてサーバ装置５に、登録情報として送信する（ステップＳ１９）。サーバ装置５は、このステップＳ１９で送信された登録情報を受けて、後述するように個人識別情報に対応付けて、受信したプライバシーレベル付きのプロファイル情報をプロファイル格納部５Ｍに格納して登録するようにする。
【０１０６】
次に、制御部２０は、全ての未処理の項目候補についての上記処理を終了したか否かを判別し（ステップＳ２０）、未だ、未処理の項目候補が残っていると判別したときには、次の未処理の項目候補を、モニターディスプレイ１７の画面に表示してユーザに提示すると共に、当該項目候補を登録するか否かをユーザが選択して指示操作するための指示アイコンが併せて表示する（ステップＳ１４）。その後、ステップＳ１６に戻り、上述したステップＳ１６以降の処理を繰り返す。
【０１０７】
また、ステップＳ１６で、提示された未処理の項目候補は登録しないと判別したときには、制御部２０は、ステップＳ２０に飛んで、全ての未処理の項目候補についての上記処理を終了したか否かを判別するようにする。そして、上述したステップＳ２０以降の処理を繰り返す。
【０１０８】
また、ステップＳ１４で、サーバ装置５から受信した情報は、未処理の項目候補が存在しないことを示すものであったとき、また、ステップＳ２０で、全ての未処理の項目候補についてのステップＳ１６〜ステップＳ１９までの処理が終了したと判別したときには、制御部２０は、未処理の項目候補が無いことを、モニターディスプレイ１７やスピーカ１８を通じてユーザに報知する（図１１のステップＳ２２）。
【０１０９】
そして、制御部２０は、ユーザから、プライバシーレベルの変更登録の要求指示があったか否か判別し（ステップＳ２３）、プライバシーレベルの変更登録の要求指示がないと判別したときには、ユーザが当該処理ルーチンを終了する指示をしたか否か判別し（ステップＳ２９）、終了する指示をしたと判別したときには、この処理ルーチンを終了する。また、ユーザが終了する指示をしてはいないと判別したときには、ステップＳ２３に戻る。
【０１１０】
そして、ステップＳ２３で、ユーザがプライバシーレベルの変更登録の要求指示をしたと判別したときには、制御部２０は、サーバ装置１に、ステップＳ１１で取得した個人識別情報を含むプロファイル情報の取得要求を送る（ステップＳ２４）。
【０１１１】
このプロファイル情報の取得要求に対しては、サーバ装置５は、その取得要求に含まれる個人識別情報に対応して登録されているプライバシーレベルが付与されているプロファイル情報を、プロファイル格納部５Ｍから読み出し、要求してきた推薦装置に送るようにする。
【０１１２】
そこで、制御部２０は、サーバ装置５からのプライバシーレベル付きのプロファイル情報を受信し、当該受信したプロファイル情報を、モニターディスプレイ１７の画面に表示することによりユーザに提示する（ステップＳ２５）。この提示画面においては、ユーザは、プライバシーレベルを変更するプロファイル情報の項目を選択指示することができると共に、選択指示したプロファイル情報の項目についてのプライバシーレベルの変更入力をすることができる。
【０１１３】
制御部２０は、ユーザからの、プライバシーレベルを変更するプロファイル情報の項目の選択指示と、選択指示されたプロファイル情報の項目についてのプライバシーレベルの変更入力を受け付けて、受け付けた変更入力情報を保持する（ステップＳ２６）。
【０１１４】
次に、制御部２０は、ユーザからのプライバシーレベルの変更登録の終了指示があったか否か判別し（ステップＳ２７）、変更登録の終了指示がなかったと判別したときには、ステップＳ２５に戻り、このステップＳ２５以降を繰り返して、次にプライバシーレベルを変更するプロファイル情報の項目の選択指示および当該項目についてのプライバシーレベルの変更入力を受け付け、受け付けた変更入力情報を保持するようにする。
【０１１５】
そして、ステップＳ２７で、ユーザからのプライバシーレベルの変更登録の終了指示があったと判別したときには、保持している変更入力が反映された変更後のプライバシーレベル付きのプロファイル情報を、個人識別情報と共に、サーバ装置５に送り返すようにする（ステップＳ２８）。
【０１１６】
そして、制御部２０は、ユーザが当該処理ルーチンを終了する指示をしたか否か判別し（ステップＳ２９）、ユーザが終了する指示をしてはいないと判別したときには、ステップＳ２３に戻り、このステップＳ２３以降の処理を繰り返す。また、ユーザが終了する指示をしたと判別したときには、制御部２０は、この処理ルーチンを終了する。
【０１１７】
＜サーバ装置５におけるプロファイル情報の登録処理＞
以上説明した推薦装置のプロファイル情報の登録処理、登録変更処理などに対応するサーバ装置５における処理動作の例を図１２のフローチャートに示す。
【０１１８】
先ず、サーバ装置５は、未処理のプロファイル情報の項目候補の取得要求を受信したか否か判別し（ステップＳ３１）、受信したと判別したときには、当該取得要求に含まれる個人識別情報によりユーザ個人を特定し、特定したユーザの履歴情報から、未処理の項目候補を抽出し、要求してきた推薦装置に送信する（ステップＳ３２）。
【０１１９】
そして、サーバ装置５は、推薦装置からプライバシーレベルが付与されているプロファイル情報の登録情報を受信したか否か判別し（ステップＳ３３）、受信したと判別したときには、受信したプライバシーレベル付きのプロファイル情報を、プロファイル格納部５Ｍに書き込んで登録する（ステップＳ３４）。そして、ステップＳ３１に戻る。
【０１２０】
また、ステップＳ３３で、プライバシーレベルが付与されているプロファイル情報の登録情報を受信しなかったと判別したときにも、ステップＳ３１に戻る。
【０１２１】
そして、ステップＳ３１で、未処理のプロファイル情報の項目候補の取得要求を受信していないと判別したときには、サーバ装置５では、プロファイル情報の取得要求を受信したか否か判別し（ステップＳ３５）、受信したと判別したときには、前記取得要求に含まれる個人識別情報により特定されるユーザのプロファイル情報を、その個人識別情報と共に、取得要求してきた推薦装置に送信する（ステップＳ３６）。そして、ステップＳ３３に進み、このステップＳ３３以降の処理を繰り返す。
【０１２２】
また、ステップＳ３５で、プロファイル情報の取得要求を受信してはいないと判別したときには、サーバ装置５は、履歴情報を受信したか否か判別する（ステップＳ３７）。そして、このステップＳ３７で、履歴情報を受信したと判別したときには、サーバ装置５は、受信した履歴情報をプロファイル格納部５Ｍに格納し（ステップＳ３８）、その後、ステップＳ３３に進んで、このステップＳ３３以降の処理を繰り返す。また、ステップＳ３７で、履歴情報を受信してはいないと判別したときにも、ステップＳ６３に進んで、このステップＳ３３以降の処理を繰り返す。以上でサーバ装置５における登録処理は終了である。
【０１２３】
履歴情報から抽出されたプロファイル情報の項目候補のユーザへの提示について、説明を付け加える。ただし、以下に説明する例は、上述の例とは、若干異なり、サーバ装置５から送られてくる履歴情報には、未処理（未登録）のプロファイル項目（履歴項目）のみならず、既にプロファイル項目として登録されているものも含まれ、かつ、それぞれのプロファイル項目（履歴項目）が登録済であるか否かの情報が付加されているものとされている。
【０１２４】
履歴情報が、例えばテレビ放送番組コンテンツの視聴履歴情報である場合、その視聴履歴から抽出されたプロファイル情報の項目候補は、例えば図１３に示すように、テレビ受信機１のモニターディスプレイ１７の画面に表示されて、ユーザに提示される。この図１３の例は、テレビ放送番組コンテンツのジャンルが、プロファイル情報の項目候補として提示された場合であり、各項目候補（履歴項目）の円の直径は、視聴時間に応じたものとして表示されている場合である。
【０１２５】
この図１３の例では、既にプロファイル項目とされている履歴項目と、未だプロファイル項目とされていない履歴項目とは、例えば、その項目名称文字部分の色を変えたり、点灯と点滅（未だプロファイル項目とされていない履歴項目を点滅）とにより分けたり、既にプロファイル項目とされている履歴項目はハーフトーン、未だプロファイル項目とされていない履歴項目は濃く表示、などのようにして、区別するようにする。図１３では、履歴項目文字に影線を付して示したものは既にプロファイル項目とされている履歴項目であり、影線を付していないものは未だプロファイル項目とされていない履歴項目を示している。
【０１２６】
図１３の例では、スポーツのジャンルが未処理の項目候補として提示され、かつ、当該スポーツのジャンルの下位の未処理の項目候補（細項目）として、「サッカー」、「野球」、「プロレス」の項目候補が含まれるものとして提示されている。
【０１２７】
ユーザは、未だプロファイル項目とされていない項目候補の文字表記部分を、例えばクリックすることで、新規に登録するプロファイル情報項目とすることができる。
【０１２８】
図１４に、図１３における未処理の項目候補が全て登録情報として選択され、それぞれの履歴項目にプライバシーレベルが設定されたときの例を示す。図１４の例では、図１３の視聴履歴から、ユーザは、「プロレス」は、「野球」よりも長時間の視聴をしているが、共有情報としては、扱いたくないため、より高いプライバシーレベルを付与したことを示している。
【０１２９】
なお、視聴履歴の軸としては、図１３では、視聴時間の長さを取り上げたが、プロファイル項目の軸としては、視聴の時期（春、夏、秋、冬、月日など）や、時間帯（朝、昼、夜など）、テーマ（ジャンル）などを用いるようにしても勿論よい。
【０１３０】
また、視聴履歴のプロファイル項目として、視聴した番組コンテンツのそれぞれを提示するようにすると共に、そのプロファイル項目の番組コンテンツの一つ一つに対して、ユーザがプライバシーレベルを設定するようにしてもよい。その他、図１３および図１４の例に限らず、その他種々の変更が可能である。
【０１３１】
また、視聴履歴に限らず、購入履歴や行動履歴についても、同様にして、項目候補を提示し、プロファイル情報として登録することができるようにするができる。
【０１３２】
＜要素パターンおよび切換制御パターンの登録＞
次に、図１５および図１６に、推薦装置におけるプライバシーレベルの切換のための要素パターンおよび切換制御パターンの登録処理例のフローチャートを示す。この図１５および図１６の例は、上述の例と同様に、推薦装置がテレビ受信機１の場合で、各ステップは、制御部２０が主として実行するものである。なお、この図１５および図１６の処理ルーチンは、ユーザが、操作メニューからパターン登録を選択したときにスタートする。
【０１３３】
先ず、制御部２０は、前述した図９のステップＳ１と同様にして、プロファイル情報を登録するユーザ個人を識別する処理を行なった結果として、個人識別情報を取得する（ステップＳ４１）。
【０１３４】
次に、制御部２０は、要素パターンの登録と、切換制御パターンとの２種のパターン登録メニューをモニターディスプレイ１７の画面に表示して、ユーザに、いずれかを選択させるようにする（ステップＳ４２）。
【０１３５】
制御部２０は、このステップＳ４２で、要素パターンの登録が選択されたか否か判別し（ステップＳ４３）、要素パターンの登録であると判別したときには、カメラ部１ＣＡＭからの撮像画像データおよびマイクロホン１ＭＣからの音声データを受け付けて、図６および図７に示したような画像パターンおよび音声パターンによる要素パターンを取得する（ステップＳ４４）。
【０１３６】
そして、制御部２０は、取得した要素パターンを、ステップＳ４１で取得した個人識別情報に対応付けて、パターン記憶部１０８の要素パターン記憶エリアに書き込んで登録する（ステップＳ４５）。
【０１３７】
次に、制御部２０は、要素パターンの登録を終了するか、継続するかを、例えばユーザの終了指示または継続指示があったか否かにより判別し（ステップＳ４６）、要素パターンの登録を継続すると判別したときには、ステップＳ４４に戻って、次の要素パターンの取り込みを行う。
【０１３８】
そして、ステップＳ４６で、要素パターンの登録を終了すると判別したときには、制御部２０は、公開レベルの切換制御パターンの登録が選択されたか否か判別する（図１６のステップＳ５１）。図１５のステップＳ４３で、要素パターンの登録が選択されなかったと判別されたときにも、このステップＳ５１にジャンプして、切換制御パターンの登録が選択されたか否か判別する。
【０１３９】
このステップＳ５１で、切換制御パターンの登録が選択されたと判別したときには、制御部２０は、パターン記憶部１０８の要素パターン記憶エリアから要素パターンを読み出して、モニターディスプレイ１７の画面に表示したり、スピーカ１８から音響再生したりして、ユーザに提示する（ステップＳ５２）。
【０１４０】
そして、制御部２０は、図８に示したようにして、提示された要素パターンの１または複数個の組み合わせからなるものとして、切換制御パターンの設定入力を受け付ける（ステップＳ５３）。
【０１４１】
次に、制御部２０は、設定された切換制御パターンを、ステップＳ４１で取得した個人識別情報に対応付けて、パターン記憶部１０８の切換制御パターン辞書エリアに、切換制御辞書パターンとして書き込んで登録するようにする（ステップＳ５４）。
【０１４２】
次に、制御部２０は、このパターン登録処理ルーチンを終了するか否かを、モニターディスプレイ１７の画面にメッセージ表示するなどして、ユーザに問い合わせて判別し（ステップＳ５５）、パターン登録を終了しないとユーザが回答したことを判別したときには、図１５のステップＳ４２に戻り、このステップＳ４２以降の処理を繰り返す。また、ステップＳ５５で、パターン登録を終了するとユーザが回答したことを判別したときには、制御部２０は、このパターン登録の処理ルーチンを終了する。
【０１４３】
＜推薦処理−公開レベルの初期的自動設定および切り換えを含む＞
次に、推薦装置における、プロファイル情報を用いた推薦対象の推薦処理について説明する。この第１の実施形態では、プロファイル情報についての公開レベルを、推薦装置が自動的に、あるいは、ユーザの公開レベル切り替え操作に応じて、設定して、推薦対象の推薦に利用する公開プロファイル情報部分を決定し、当該決定した公開プロファイル情報部分を用いて、推薦対象を推薦するようにする。
【０１４４】
図１７〜図２１は、この第１の実施形態における推薦処理の例を説明するためのフローチャートである。この図１７〜図２１の例は、推薦装置がテレビ受信機１の場合であって、推薦対象がテレビ放送番組コンテンツの場合である。この図１７〜図２１の例における各ステップＳの処理は、テレビ受信機１の制御部２０と、公開レベル設定部１０６と、公開プロファイル情報部分抽出部１０７と、公開レベル切換判定部１０９と、コンテンツ推薦部１０５とが、互いに連携して実行するものである。なお、この図１７〜図２１の処理ルーチンは、ユーザが、操作メニューからテレビ放送番組コンテンツの推薦を選択したときにスタートする。
【０１４５】
先ず、制御部２０は、公開レベル設定部１０６に、公開レベルを設定するために、視聴環境状況を調査するように指示する（ステップＳ６１）。この例では、前述したように、公開レベル設定部１０６は、撮像画像データ処理部１０３からのカメラ部１ＣＡＭで撮像された視聴者の視聴環境画像や、音声データ処理部１０４からのマイクロホン１ＭＣで収音された視聴環境状況における人声音声から、テレビ受信機１の視聴者が一人であるか、複数人であるかを判別するようにする。
【０１４６】
そして、公開レベル設定部１０６は、前記判別の結果、一人で視聴しているのか否か判別し（ステップＳ６２）、一人であると判別したときには、プロファイル情報の公開レベルを、この例では、プライバシーレベルの最高レベル（この実施形態では、レベル５）までの全てを公開するレベルＬａに設定する（ステップＳ６３）。設定された公開レベルは、公開プロファイル情報部分抽出部１０７に送られる。
【０１４７】
この公開レベルの設定の後、制御部２０は、前述した図９のステップＳ１と同様にして、視聴ユーザ個人を識別する処理を行なった結果として、個人識別情報を取得する（ステップＳ６４）。
【０１４８】
次に、制御部２０は、取得した個人識別情報を含めた視聴ユーザのプロファイル情報の取得要求を、サーバ装置５にＬＡＮ６を通じて送る（ステップＳ６５）。これに対しては、サーバ装置５からは、当該視聴ユーザのプロファイル情報が送られてくるので、制御部２０は、それを受信して公開プロファイル情報部分抽出部１０７が備えるプロファイル情報一時格納部に格納し、公開プロファイル情報部分抽出部１０７に公開プロファイル情報部分を抽出するように指示する（ステップＳ６６）。
【０１４９】
公開プロファイル情報部分抽出部１０７は、ステップＳ６３で設定された公開レベルＬａに基づいて、公開が許容されるプライバシーレベルを認識して、当該公開が許容されるプライバシーレベルが付与されているプロファイル情報部分を、公開プロファイル情報部分として抽出し、コンテンツ推薦部１０５に、抽出した公開プロファイル情報部分を渡す（ステップＳ６７）。
【０１５０】
コンテンツ推薦部１０５は、受け取った公開プロファイル情報部分を用いて、テレビ放送番組コンテンツの推薦処理を実行し、例えば、推薦する放送番組コンテンツをモニターディスプレイ１７の画面に表示して報知する（図１８のステップＳ７１）。
【０１５１】
次に、公開レベル切換判定部１０９は、制御部２０からの指示により、撮像画像データ処理部１０３からのカメラ部１ＣＡＭの撮像データおよび音声データ処理部１０４からのマイクロホン１ＭＣの収音音声データについて、パターン記憶部１０８の切換制御パターン辞書の辞書データとのパターンマッチングを行う（ステップＳ７２）。
【０１５２】
そして、公開レベル切換判定部１０９は、切換制御パターン辞書に登録されている辞書パターンと一致する切換制御パターンが入力されたか否か判別し（ステップＳ７３）、一致する切換制御パターンの入力があったと判別したときには、パターン記憶部１０８の切換制御パターン辞書に当該一致した辞書パターンに対応して記憶されている公開レベルを読み出し、当該公開レベルに切換設定し、それを公開プロファイル情報部分抽出部１０７に通知する（ステップＳ７４）。
【０１５３】
公開プロファイル情報部分抽出部１０７は、当該切換設定された公開レベルに基づいて、公開プロファイル情報部分を再抽出し、当該再抽出した公開プロファイル情報部分をコンテンツ推薦部１０５に送る（ステップＳ７５）。
【０１５４】
制御部２０は、ステップＳ７５の次にはステップＳ７１に戻すようにし、コンテンツ推薦部１０５は、制御部２０の制御指示に基づいて、再抽出された公開プロファイル情報部分を用いて、放送番組コンテンツの再推薦を行う。
【０１５５】
そして、ステップＳ７３で、公開レベル切換判定部１０９が、一致する切換制御パターンの入力はないと判別したときには、制御部２０は、視聴ユーザから推薦処理を終了する指示入力があったか否か判別し（ステップＳ７６）、終了の指示入力がないときには、ステップＳ７２に戻って、切換制御パターンの入力の監視を継続するようにし、終了の指示入力があったときには、この処理ルーチンを終了する。
【０１５６】
次に、ステップＳ６２で、複数人が視聴している環境状況である判別したときには、公開レベル設定部１０４は、それら複数人の個人認識を、前述した顔画像認識や声認識により実行する（図１９のステップＳ８１）。
【０１５７】
そして、公開レベル設定部１０４は、個人認識できた視聴ユーザが何人であるか判定する（ステップＳ８２）。このステップＳ８２での判定の結果、個人認識できた視聴ユーザがない（０人）と判定したときには、その旨をコンテンツ推薦部１０５に送る。
【０１５８】
コンテンツ推薦部１０５は、前述の説明では省略したが、このような場合を想定して、一般的なユーザを想定した汎用プロファイル情報を記憶しており、この汎用プロファイル情報を用いてテレビ放送番組コンテンツの推薦処理を実行する（ステップＳ８３）。そして、この推薦の処理ルーチンを終了する。
【０１５９】
また、ステップＳ８２での判定の結果、個人認識できたのは一人の視聴ユーザであると判別したときには、公開レベル設定部１０６は、視聴ユーザは、家族構成員とは異なる他の視聴ユーザとの視聴環境状況に在ると判断し、一人であっても、ステップＳ６３での設定公開レベルＬａよりも低いレベルである公開レベルＬｂ、例えばレベル２までを公開するレベルに設定し、当該設定した公開レベルＬｂを公開プロファイル情報部分抽出部１０７に渡す（ステップＳ８４）。
【０１６０】
次に、制御部２０は、個人認識により取得した個人識別情報を含めた視聴ユーザのプロファイル情報の取得要求を、サーバ装置５にＬＡＮ６を通じて送る（ステップＳ８５）。これに対しては、サーバ装置５からは、当該視聴ユーザのプロファイル情報が送られてくるので、制御部２０は、それを受信して公開プロファイル情報部分抽出部１０７が備えるプロファイル情報一時格納部に格納し、公開プロファイル情報部分抽出部１０７に公開プロファイル情報部分を抽出するように指示する（ステップＳ８６）。
【０１６１】
公開プロファイル情報部分抽出部１０７は、ステップＳ８４で設定された公開レベルＬｂに基づいて、公開が許容されるプライバシーレベルを認識して、当該公開が許容されるプライバシーレベルが付与されているプロファイル情報部分を、公開プロファイル情報部分として抽出し、コンテンツ推薦部１０５に、抽出した公開プロファイル情報部分を渡す（ステップＳ８７）。
【０１６２】
次に、制御部２０は、図１８のステップＳ７１に進むように制御指示し、コンテンツ推薦部１０５は、受け取った公開プロファイル情報部分を用いて、テレビ放送番組コンテンツの推薦処理を実行し、その推薦処理結果としての推薦する放送番組コンテンツを、例えばモニターディスプレイ１７の画面に表示する。そして、その後、上述したステップＳ７２以降の処理を繰り返す。
【０１６３】
ステップＳ８２での判定の結果、個人認識できたのは複数人であると判別したときには、公開レベル設定部１０６は、その複数人の全ての視聴ユーザを個人認識することができたか否か判別する（図２０のステップＳ９１）。
【０１６４】
そして、このステップＳ９１で全ての視聴ユーザを個人認識できたと判別したときには、公開レベル設定部１０６は、視聴ユーザは、家族構成員のみであると判断して、この例では、ステップＳ６３での設定公開レベルＬａよりも低いレベルであるが、ステップＳ８４での公開レベルＬｂよりは高い公開レベルＬｃ、例えばレベル３までを公開するレベルに設定し、当該設定した公開レベルＬｃを公開プロファイル情報部分抽出部１０７に渡す（ステップＳ９２）。
【０１６５】
次に、制御部２０は、個人認識により認識できた複数視聴ユーザの個人識別情報を含めたプロファイル情報の取得要求を、サーバ装置５にＬＡＮ６を通じて送る（ステップＳ９３）。これに対しては、サーバ装置５からは、当該複数視聴ユーザのプロファイル情報が送られてくるので、制御部２０は、それらを受信して公開プロファイル情報部分抽出部１０７が備えるプロファイル情報一時格納部に格納し、公開プロファイル情報部分抽出部１０７に公開プロファイル情報部分を抽出するように指示する（ステップＳ９４）。
【０１６６】
公開プロファイル情報部分抽出部１０７は、ステップＳ９２で設定された公開レベルＬｃに基づいて、公開が許容されるプライバシーレベルを認識して、当該公開が許容されるプライバシーレベルが付与されているプロファイル情報部分を、複数視聴ユーザのそれぞれから抽出し、それらの公開プロファイル情報部分をマージして、コンテンツ推薦部１０５に、公開プロファイル情報部分として渡す（ステップＳ９８）。
【０１６７】
コンテンツ推薦部１０５は、受け取った公開プロファイル情報部分を用いて、テレビ放送番組コンテンツの推薦処理を実行する（図２１のステップＳ１０１）。
【０１６８】
また、ステップＳ９１で、全ての視聴ユーザを個人認識はできなかったと判別したときには、公開レベル設定部１０６は、視聴ユーザは、家族構成員のみではないと判断して、この例では、ステップＳ６３での設定公開レベルＬａよりも低いレベルで、かつ、ステップＳ９２での公開レベルＬｃよりも低い公開レベルＬｄ、例えばレベル２までを公開するレベルに設定し、当該設定した公開レベルＬｄを公開プロファイル情報部分抽出部１０７に渡す（ステップＳ９５）。
【０１６９】
次に、制御部２０は、個人認識により認識できた複数視聴ユーザの個人識別情報を含めたプロファイル情報の取得要求を、サーバ装置５にＬＡＮ６を通じて送る（ステップＳ９６）。これに対しては、サーバ装置５からは、当該複数視聴ユーザのプロファイル情報が送られてくるので、制御部２０は、それらを受信して公開プロファイル情報部分抽出部１０７が備えるプロファイル情報一時格納部に格納し、公開プロファイル情報部分抽出部１０７に公開プロファイル情報部分を抽出するように指示する（ステップＳ９７）。
【０１７０】
公開プロファイル情報部分抽出部１０７は、ステップＳ９５で設定された公開レベルＬｄに基づいて、公開が許容されるプライバシーレベルを認識して、当該公開が許容されるプライバシーレベルが付与されているプロファイル情報部分を、複数視聴ユーザのそれぞれから抽出し、それらの公開プロファイル情報部分をマージして、コンテンツ推薦部１０５に、公開プロファイル情報部分として渡す（ステップＳ９８）。
【０１７１】
コンテンツ推薦部１０５は、受け取った公開プロファイル情報部分を用いて、テレビ放送番組コンテンツの推薦処理を実行する（図２１のステップＳ１０１）。
【０１７２】
次に、公開レベル切換判定部１０９は、制御部２０からの指示により、撮像画像データ処理部１０３からのカメラ部１ＣＡＭの撮像データおよび音声データ処理部１０４からのマイクロホン１ＭＣの収音音声データについて、パターン記憶部１０８の切換制御パターン辞書の辞書データとのパターンマッチングを行う（ステップＳ１０２）。この場合のパターンマッチングにおいて参照する切換制御パターン辞書は、個人認識された複数視聴ユーザに対応した複数の切換制御パターン辞書となる。
【０１７３】
そして、公開レベル切換判定部１０９は、切換制御パターン辞書に登録されている辞書パターンと一致する切換制御パターンが入力されたか否か判別し（ステップＳ１０３）、一致する切換制御パターンの入力があったと判別したときには、一致した切換制御パターン辞書に対応する視聴ユーザを認識する（ステップＳ１０４）。
【０１７４】
そして、公開レベル切換判定部１０９は、認識した視聴ユーザについての切換制御パターン辞書を参照して、当該一致した切換制御パターンに対応する公開レベルを読み出して、当該視聴ユーザに対する公開レベルを、当該読み出した公開レベルに切換設定し、それを公開プロファイル情報部分抽出部１０７に通知する（ステップＳ１０５）。
【０１７５】
公開プロファイル情報部分抽出部１０７は、当該切換設定された視聴ユーザについてのプロファイル情報に対する公開レベルに基づいて、当該視聴ユーザについての公開プロファイル情報部分を再抽出し、当該再抽出した公開プロファイル情報部分を、他の視聴ユーザについて抽出済みの公開プロファイル情報部分と再マージして、コンテンツ推薦部１０５に送る（ステップＳ１０６）。
【０１７６】
制御部２０は、ステップＳ１０６の次にはステップＳ１０１に戻すようにし、コンテンツ推薦部１０５は、制御部２０の制御指示に基づいて、再マージされた公開プロファイル情報部分を用いて、放送番組コンテンツの再推薦を行う。
【０１７７】
そして、ステップＳ１０３で、公開レベル切換判定部１０９が、一致する切換制御パターンの入力はないと判別したときには、制御部２０は、視聴ユーザから推薦処理を終了する指示入力があったか否か判別し（ステップＳ１０７）、終了の指示入力がないときには、ステップＳ１０２に戻って、切換制御パターンの入力の監視を継続するようにし、終了の指示入力があったときには、この処理ルーチンを終了する。
【０１７８】
ここで、ステップＳ９８およびステップＳ１０６における公開プロファイル情報部分のマージについて説明を加える。
【０１７９】
複数視聴ユーザの公開プロファイル情報部分のマージの方法としては、それらの複数の公開プロファイル情報部分の和集合（オア）とする方法、それらの複数の公開プロファイル情報部分の積集合（アンド）とする方法の、いずれのマージ方法をも採用することができる。
【０１８０】
図２２に、和集合によるマージの場合の公開プロファイル情報部分の例を示す。図２２の例は、Ａさんの公開レベルは、プライバシーレベルのレベル１で、その公開プロファイル情報Ｐ＿Ａは、サッカーのジャンルの「Ｊリーグの試合」、「セリエＡの試合」、「プレミアリーグの試合」からなっている。また、Ｂさんの公開レベルは、プライバシーレベルのレベル３で、その公開プロファイル情報Ｐ＿Ｂは、「スペインリーグの試合」のみからなっている。
【０１８１】
したがって、マージの結果、コンテンツ推薦部１０５に送られる公開プロファイル情報部分は、「Ｊリーグの試合」、「セリエＡの試合」、「プレミアリーグの試合」および「スペインリーグの試合」からなるものとされ、コンテンツ推薦部１０５は、この公開プロファイル情報部分に適合し、その視聴時間帯において取得することができる放送番組コンテンツを推薦する。
【０１８２】
なお、上述の第１の実施形態におけるＬＡＮ６は、有線ＬＡＮではなく、無線ＬＡＮでも良いことは言うまでもない。
【０１８３】
［第２の実施形態−この発明の情報処理システムの実施形態］
上述した第１の実施形態は、ホームＬＡＮを用いた情報処理システムの構成の場合であったので、サーバ装置はＬＡＮ６に接続されていたが、サーバ装置が、インターネットに接続されている情報処理システムを構成することもできる。
【０１８４】
図２３は、インターネットを用いて構成する、この発明の第２の実施形態の情報処理システムの一例の概要を示すものである。
【０１８５】
図２３の例は、サーバ装置３０と、複数の推薦装置、この例では、商品推薦装置４１、コンテンツ推薦装置４２、プラン推薦装置４３、店舗推薦装置４４などとが、インターネット３１を通じて接続されて構成されている。
【０１８６】
サーバ装置３０のプロファイル格納部３０Ｍには、上述の第１の実施形態と同様に、個人識別情報に対応付けられて、プライバシーレベルが付与されたプロファイル情報が、複数ユーザ分、格納されている。このプロファイル情報は、例えば、ユーザが予めインターネットを通じてサーバ装置３０にアップロードしておくようにするものである。
【０１８７】
各推薦装置４１，４２，４３，４４は、図示は省略したが、上述した第１の実施形態のテレビ受信機１の推薦装置としての機能部１００を備えるもので、カメラ部やマイクロホンも備えるものである。
【０１８８】
商品推薦装置４１は、例えば商品販売店舗に配置されているもので、予め、会員登録された利用者についての個人識別をするための顔画像情報や声情報と、前記個人識別情報とを対応付けて記憶する利用者識別情報記憶部を備える。これは、前述のテレビ受信機１の家族識別情報記憶部に対応するものである。
【０１８９】
また、商品推薦装置４１には、推薦する商品情報が登録されており、前述のコンテンツ推薦部１０５の代わりに、登録されている商品情報の中から、公開プロファイル情報部分を用いた商品推薦を行う商品推薦部を備えるものとされている。
【０１９０】
そして、この商品推薦装置４１は、例えば、会員ユーザについて、カメラ部で撮像した画像データや、マイクロホンで収音した音声データから個人識別情報を取得する。そして、第１の実施形態と同様にして、当該個人識別情報を含めたプロファイル情報の取得要求をサーバ装置３０に送って、当該会員ユーザのプロファイル情報を取得する。
【０１９１】
そして、この商品推薦装置４１は、上述の第１の実施形態と同様にして、自動設定された、あるいは切換設定された公開レベルに基づいて、取得したプロファイル情報から、公開プロファイル情報部分を抽出し、商品推薦処理を行なうことができる。プロファイル情報の登録および変更なども、第１の実施形態と同様に行える。
【０１９２】
コンテンツ推薦装置４２は、上述した第１の実施形態におけるパソコンと同様であり、推薦対象が、画像コンテンツ、音楽コンテンツ、書籍コンテンツなどとされる。サーバ装置３０へのプロファイル情報の登録および変更、サーバ装置３０からのプロファイル情報の取得、公開レベルの設定、切換変更および推薦処理は、商品推薦装置４１と同様となる。
【０１９３】
プラン推薦装置４３は、推薦対象が旅行プラン、ブライダルプランなどのプランとなることが他の推薦装置と異なるだけで、サーバ装置３０へのプロファイル情報の登録および変更、サーバ装置３０からのプロファイル情報の取得、公開レベルの設定、切換変更および推薦処理は、商品推薦装置４１と同様となる。
【０１９４】
店舗推薦装置４４も、推薦対象が食堂、レストラン、スポーツ用品販売店などの店舗情報となるだけで、サーバ装置３０へのプロファイル情報の登録および変更、サーバ装置３０からのプロファイル情報の取得、公開レベルの設定、切換変更および推薦処理は、商品推薦装置４１と同様となる。
【０１９５】
［第３の実施形態−この発明の情報処理システムの実施形態］
上述の第１の実施形態および第２の実施形態では、公開プロファイル情報部分抽出部を推薦装置が備える構成であるが、当該公開プロファイル情報部分抽出部をサーバ装置に設けるようにしても良い。このように、公開プロファイル情報部分抽出部をサーバ装置に設けた構成の情報処理システムを第３の実施形態とする。
【０１９６】
この第３の実施形態では、例えば第１の実施形態に適用した場合においては、公開レベル設定部１０６で設定された公開レベルや、公開レベル切換判定部で切換設定された公開レベルが、個人識別情報と共に、サーバ装置５に送られる。つまり、サーバ装置５には、個人識別情報のみではなく、設定された公開レベルが含まれたプロファイル情報の取得要求が送られる。
【０１９７】
サーバ装置５では、プロファイル情報の取得要求に含まれる個人識別情報を用いてプロファイル格納部５Ｍから、当該個人識別情報のユーザのプロファイル情報を読み出して、当該サーバ装置５に設けられる公開プロファイル情報部分抽出部に転送する。そして、公開プロファイル情報部分抽出部においては、プロファイル情報の取得要求に含まれる公開レベルで許可されるプライバシーレベルのプロファイル項目のみからなる公開プロファイル情報部分を抽出する。そして、サーバ装置５は、抽出した公開プロファイル情報部分を、取得要求してきた推薦装置に送るようにする。
【０１９８】
この第３の実施形態によれば、サーバ装置５またはサーバ装置３０からは、公開プロファイル情報部分のみが伝送されるようになり、無駄に秘匿性の高いプライバシーレベルが高いプロファイル情報が伝送ルートに乗ることがない。このため、第１の実施形態や第２の実施形態の場合よりも、個人情報の保護が厚くなる。
【０１９９】
［第４の実施形態−この発明の情報処理システムの実施形態］
この第４の実施形態は、更に推薦装置の構成を簡略にすることができる情報処理システムの例である。すなわち、この第４の実施形態では、図４に示した上述の第１の実施形態のテレビ受信機１の推薦装置としての機能部１００のうち、コンテンツ推薦部１０５を除く各部をサーバ装置に設ける構成である。
【０２００】
ただし、カメラ部１ＣＡＭおよびマイクロホン１ＭＣ、撮像画像データ処理部１０２および音声データ処理部１０４は、推薦装置側に設けるようにする。
【０２０１】
この第４の実施形態を、第１の実施形態の情報処理システムに適用した場合におけるサーバ装置５の構成例のブロック図を、図２４に示す。すなわち、第４の実施形態のサーバ装置５は、制御部５０と、通信インターフェース２０１と、家族識別情報記憶部２０２と、撮像画像データ処理部２０３と、音声データ処理部２０４と、公開レベル設定部２０６と、公開プロファイル情報部分抽出部２０７と、パターン記憶部２０８と、パターンマッチング部２０９とがシステムバス５１を通じて接続される。そして、システムバス５１には、プロファイル格納部５Ｍが接続されるものである。
【０２０２】
なお、第１の実施形態の場合と同様に、公開レベル設定部１０６と、公開プロファイル情報部分抽出部１０７と、パターンマッチング部１０９とは、ソフトウエアプログラムによるソフトウエア機能手段部として構成することもできるものである。
【０２０３】
一方、図示は省略するが、この第４の実施形態における推薦装置においては、例えば図４のテレビ受信機１を例に取ると、家族識別情報記憶部１０２と、公開レベル設定部１０６と、公開プロファイル情報部分抽出部１０７と、パターン記憶部１０８と、パターンマッチング部１０９とは、設けられない。
【０２０４】
この第４の実施形態における推薦装置での推薦処理時の処理動作例のフローチャートを図２５に示す。この図２５の例は、推薦装置が、上述した第１の実施形態の場合におけるテレビ受信機１の場合である。
【０２０５】
この第４の実施形態では、テレビ受信機１の制御部２０は、カメラ部１ＣＡＭで撮像した視聴環境状況の撮像画像データおよびマイクロホン１ＭＣで収音した視聴環境状況における音声データを、それぞれ撮像データ処理部１０２および音声データ処理部１０３において、送信のための適当な処理をした後、サーバ装置５に送信するようにする（ステップＳ１１１）。
【０２０６】
サーバ装置５では、後述するように、前記撮像画像データや音声データから、視聴ユーザが何人いるか、また、登録された視聴ユーザ（前述の例では家族構成員）を含むかの視聴環境状況の調査がなされ、登録視聴ユーザを含むか否かの通知が、サーバ装置５から送られてくる。
【０２０７】
そこで、制御部２０は、その通知を受信して、視聴環境状況が登録視聴ユーザを含むか否か判別し（ステップＳ１１２）、含まないのであれば、サーバ装置５から送られてくる、一般的な利用者についての汎用プロファイル情報を受信し（ステップＳ１１３）、当該受信した汎用プロファイル情報をコンテンツ推薦部１０５に転送する。
【０２０８】
コンテンツ推薦部１０５は、この汎用プロファイル情報を用いて、放送番組コンテンツを推薦する処理を実行する（ステップＳ１１４）。そして、この処理ルーチンを終了する。
【０２０９】
ステップＳ１１２で、視聴環境状況が登録視聴ユーザを含むと判別したときには、制御部２０は、サーバ装置５から送られてくる公開プロファイル情報部分を受信し（ステップＳ１１５）、当該受信した公開プロファイル情報部分をコンテンツ推薦部１０５に転送する。コンテンツ推薦部１０５は、これを受けて、受信した公開プロファイル情報部分を用いて、放送番組コンテンツを推薦する処理を実行する（ステップＳ１１６）。
【０２１０】
次に、制御部２０は、カメラ部１ＣＡＭで撮像した視聴ユーザのジェスチャーパターンや、マイクロホン１ＭＣで収音した視聴ユーザの発声音声による発声語パターンを含む画像データおよび音声データを、サーバ装置５に送信する（ステップＳ１１７）。
【０２１１】
サーバ装置５は、上記のジェスチャーパターンや発声語パターンと、切換制御パターン辞書に登録されている切換制御パターンとのパターンマッチングを行って、一致するパターンがあると判断すると、後述するように、プロファイル情報についての公開レベルを切り換えて、新たな公開プロファイル情報部分を送ってくる。
【０２１２】
そこで、制御部２０は、サーバ装置５からの新たな公開プロファイル情報部分を受信したか否か判別し（ステップＳ１１８）、受信したと判別したときには、ステップＳ１１６に戻り、新たに受信した公開プロファイル情報部分を用いて放送番組コンテンツの推薦処理を再度実行するようにする。そして、このステップＳ１１６以降の処理を継続する。
【０２１３】
ステップＳ１１８で、サーバ装置５からの新たな公開プロファイル情報部分を受信していないと判別したときには、制御部２０は、視聴ユーザから推薦処理終了指示があったか否か判別し（ステップＳ１１９）、終了指示がなかったと判別したときには、ステップＳ１１７に戻り、撮像画像データおよび音声データのサーバ装置５への送信を継続して、このステップＳ１１７以降の処理を繰り返す。
【０２１４】
また、ステップＳ１１９で、終了指示があったと判別したときには、制御部２０は、この推薦処理ルーチンを終了する。
【０２１５】
次に、この第４の実施形態におけるサーバ装置５での処理動作の例を、図２６および図２７のフローチャートを参照しながら説明する。この図２６および図２７の各ステップの処理動作は、制御部５０の制御の下で、図２４に示した各部が実行するものである。なお、図２６および図２７は、テレビ受信機１からの情報を受信した場合として示しているため、視聴環境についての処理動作となっているが、他の推薦装置にも同様に適用できることは言うまでも無い。
【０２１６】
先ず、サーバ装置５の制御部５０は、推薦装置（この例ではテレビ受信機を想定。以下同じ）からの視聴ユーザの顔画像情報および声情報を受信し（ステップＳ１２１）、それらの受信した画像情報について、撮像画像データ処理部２０３および音声データ処理部２０４での画像認識処理および音声情報についての音声認識処理により、前述の例の推薦装置における場合と同様にして、視聴環境状況調査および視聴ユーザの個人認識を実行する（ステップＳ１２２）。
【０２１７】
個人認識処理は、家族識別情報記録部２０２に記憶されている情報を参照しながら、撮像画像データ処理部２０３および音声データ処理部２０４で認識処理を行うことによりなされる。
【０２１８】
このステップＳ１２２での個人認識処理により、推薦装置の視聴ユーザが、家族認識情報記憶部２０２に記憶されている登録視聴ユーザを含むか否か判別する（ステップＳ１２３）。
【０２１９】
このステップＳ１２３での判別の結果、推薦装置の視聴ユーザが登録視聴ユーザを含まないと判別したときには、制御部５０は、登録視聴ユーザを含まない旨を推薦装置に通知し（ステップＳ１２４）、プロファイル格納部５Ｍに記憶されている汎用プロファイル情報を読み出して、その汎用プロファイル情報を推薦装置に送信する（ステップＳ１２５）。そして、制御部５０は、この処理ルーチンを終了する。
【０２２０】
ステップＳ１２３で、登録視聴ユーザを含むと判別したときには、制御部５０は、その旨を推薦装置に通知し（ステップＳ１２６）、その後、公開レベル設定部２０６に、ステップＳ１２２で検知した視聴環境状況の調査結果から、例えば視聴者が一人だけか、複数人かなど、前述の例と同様にして、自動的に、視聴環境状況に応じた公開レベルを設定させるようにする（ステップＳ１２７）。
【０２２１】
そして、公開レベル設定部２０６で設定された公開レベルは、公開プロファイル情報部分抽出部２０７に送られ、これを受けた公開プロファイル情報部分抽出部２０６は、ステップＳ１２２での個人認識により認識された登録視聴ユーザについてのプロファイル情報（プロファイル格納部５Ｍに格納されている）から、公開レベルにより公開が許可されるプライバシーレベルが付与されているプロファイル情報のみからなる公開プロファイル情報部分を抽出する（ステップＳ１２８）。
【０２２２】
そして、公開プロファイル情報部分抽出部２０７は、個人識別により検知された登録視聴ユーザは一人であるか否か判別し（ステップＳ１２９）、一人であると判別したときには、抽出した公開プロファイル情報部分を推薦装置に送信する（ステップＳ１３０）。
【０２２３】
また、ステップＳ１２９で、個人識別により検知された登録視聴ユーザは一人ではなく複数人であると判別したときには、公開プロファイル情報部分抽出部２０７は、抽出した複数の登録視聴ユーザについての公開プロファイル情報部分をマージし（ステップＳ１３１）、当該マージした公開プロファイル情報部分を推薦装置に送信する（ステップＳ１３２）。
【０２２４】
ステップＳ１３０の次、また、ステップＳ１３２の次には、制御部５０は、推薦装置からの撮像画像データおよび音声データを受信し（図２７のステップＳ１４１）、受信した撮像画像データおよび音声データを公開レベル切換判定部２０９に転送する。
【０２２５】
公開レベル切換判定部２０９は、受信した撮像画像データおよび音声データについて、パターン記憶部２０８の切換制御パターン辞書の辞書データとのパターンマッチングを行う（ステップＳ１４２）。
【０２２６】
そして、公開レベル切換判定部２０９は、切換制御パターン辞書に登録されている辞書パターンと一致する切換制御パターンが入力されたか否か判別し（ステップＳ１４３）、一致する切換制御パターンの入力があったと判別したときには、パターン記憶部２０８の切換制御パターン辞書に当該一致した辞書パターンに対応して記憶されている公開レベルを読み出し、当該公開レベルに切換設定し、それを公開プロファイル情報部分抽出部２０７に通知する（ステップＳ１４４）。
【０２２７】
公開プロファイル情報部分抽出部２０７は、当該切換設定された公開レベルに基づいて、公開プロファイル情報部分を再抽出し（ステップＳ１４５）、当該再抽出した公開プロファイル情報部分を推薦装置に送る（ステップＳ１４６）。そして、ステップＳ１４１に戻り、このステップＳ１４１以降の処理を繰り返す。
【０２２８】
そして、ステップＳ１４３で、公開レベル切換判定部２０９が、一致する切換制御パターンの入力はないと判別したときには、制御部５０は、推薦装置から終了指示情報が送られてきたか否か判別し（ステップＳ１４７）、終了指示情報が送られてきていないと判別したときには、ステップＳ１４１に戻って、切換制御パターンの監視を継続するようにし、終了指示情報の受信を検知したと判別したときには、この処理ルーチンを終了する。
【０２２９】
［第５の実施形態：情報処理装置の実施形態］
上述した第１〜第４の実施形態は、プロファイル格納部が、推薦装置とはＬＡＮやインターネットで接続される外部のサーバ装置に存在する情報処理システムであったが、プロファイル格納部を推薦装置自身が備える情報処理装置の構成とすることもできる。
【０２３０】
図示は省略するが、第５の実施形態は、この情報処理装置の実施形態であり、ハードウエア構成例としては、例えばテレビ受信機に適用した場合には、図４の構成に、更に、プロファイル格納部を備える構成となる。つまり、この第５の実施形態では、利用者（視聴ユーザなど）のプロファイル情報は、情報処理装置内のプロファイル格納部に存在するので、情報処理装置のみで、上述の第１の実施形態で説明した全ての処理を実行することができる。
【０２３１】
［第６の実施形態：第５の実施形態の変形例としての情報処理システム］
第５の実施形態の情報処理装置において、プロファイル格納部をハードディスク装置など、装置に内蔵の記憶手段を用いた場合、プロファイル情報を複数の情報処理装置では共有できない。
【０２３２】
しかし、プロファイル格納部に格納されている各利用者のプロファイル情報を、メモリカードなど、リムーバルな記憶メディアにコピーする機能と、当該リムーバルな記憶メディアに記憶されているプロファイル情報を取り込む機能とを、情報処理装置に設けることにより、各利用者のプロファイル情報を、この第６の実施形態と同じ機能を持つ他の情報処理装置においても利用することができるように構成することができる。
【０２３３】
図２８は、リムーバルな記憶メディアとしてメモリカード６１を用いる場合の第６の実施形態の情報処理装置としてのテレビ受信機６０の、例えば前面パネル部分を示すものである。図２８に示すように、この第６の実施形態の情報処理装置としてのテレビ受信機６０では、前面パネルに、メモリカード６１の装填部６２を備える。
【０２３４】
そして、メモリカード６１を装填部６２に挿入すると、図２８に示すように、画面６０Ｄに、プロファイル情報をリムーバル記憶メディア、この例ではメモリカード６１にコピーすることを意味する「１．エクスポート」と、リムーバル記憶メディア、この例ではメモリカード６１に記憶されているプロファイル情報を情報処理装置としてのテレビ受信機６０内に取り込むことを意味する「２．インポート」とが表示され、ユーザにいずれかを選択させるようにする。
【０２３５】
「１．エクスポート」が選択された場合には、テレビ受信機６０は、家族識別情報記憶部１０２に記憶されている情報を用いて、カメラ部で撮像した顔画像や、マイクロホンで収音した声音声から利用者を個人認識して、家族識別情報記憶部１０２に記憶されている当該利用者の個人識別情報を取得し、その取得した個人識別情報に対応付けられてプロファイル格納部に格納されているプロファイル情報を、メモリカード６１に書き込むようにする。
【０２３６】
また、家族識別情報記憶部１０２に記憶されている、個人認識された利用者の顔画像情報や声情報および個人識別情報も、プロファイル情報と対応付けて、メモリカード６１に書き込むようにする。更に、パターン記憶部１０８の切換制御パターン辞書エリアに記憶されている当該利用者の切換制御パターンの辞書情報も、メモリカード６１に書き込むようにする。
【０２３７】
また、「２．インポート」が選択された場合には、テレビ受信機６０は、メモリカード６１に記憶されている利用者の顔画像情報や声情報および個人識別情報を取り込んで家族識別情報記憶部１０２に記憶すると共に、プロファイル情報を取り込んで、その個人識別情報と対応付けてプロファイル格納部に書き込む。また、利用者の切換制御パターンの辞書情報をメモリカード６１から取り込んで、パターン記憶部１０８に書き込む。
【０２３８】
そして、テレビ受信機６０は、取り込んだプロファイル情報を用いて、コンテンツ推薦などの推薦処理を実行すると共に、パターン記憶部１０８に書き込んだ切換制御パターン辞書情報を用いて、当該利用者についての公開レベルの切り換えを行う。
【０２３９】
なお、メモリカード６１が装填部６２から抜かれた後には、取り込んだプロファイル情報、顔画像情報や声情報および個人識別情報、切換制御パターン情報は、プロファイル格納部や家族識別情報記憶部、また、パターン記憶部から削除するようにする。また、利用者からの明示の指示があったときには、削除せずに、プロファイル格納部や家族識別情報記憶部、また、パターン記憶部に、そのまま記憶保持するようにしても良い。
【０２４０】
図２９は、メモリカード６１の代わりに、携帯端末、例えば携帯電話端末６３、の記憶部を用いる構成とした場合の第６の実施形態の情報処理装置の例としてのテレビ受信機６０である。
【０２４１】
この図２９の例の場合には、テレビ受信機６０には、例えば、携帯電話端末６３が備える近距離無線通信機能による無線通信の送受信部６４が設けられる。近距離無線通信機能としては、赤外線により無線通信するもの、電波で無線通信するもの（例えばＢｌｕｅｔｏｏｔｈ（登録商標））などが用いられる。
【０２４２】
この図２９の例は、無線通信により、携帯電話端末６３とテレビ受信機６０とがやり取りする点を除いては、上述した図２８の例と全く同様の処理動作を行うように構成することができる。
【０２４３】
なお、以上説明した第６の実施形態では、情報処理装置（推薦装置）としてのテレビ受信機には、プロファイル格納部やパターン記憶部、家族識別情報記憶部には、常に、記憶情報が書き込まれるようにされている。
【０２４４】
しかし、推薦対象の推薦処理が行われるときにのみ、利用者のプロファイル情報や、個人識別のための顔情報や声情報、また、切換制御パターン辞書情報などが存在すればよい。そこで、メモリカード６１から情報が取り込まれたときには、推薦装置の電源オフがオフとされるまで、プロファイル格納部やパターン記憶部、家族識別情報記憶部に保持するように構成することにより、複数ユーザのプロファイル情報などの情報を保持することができ、それら保持されている情報を用いて推薦処理および公開レベルの切換処理をすることができる。
【０２４５】
その場合には、情報処理装置（推薦装置）としてのテレビ受信機には、プロファイル格納部やパターン記憶部、家族識別情報記憶部には、常に、記憶情報を保持する必要はなく、電源オフのときに、全て削除するようにしても良い。
【０２４６】
なお、携帯電話端末６３の代わりに、ＰＤＡ（Ｐｅｒｓｏｎａｌ  Ｄｉｇｉｔａｌ  Ａｓｓｉｓｔａｎｔｓ）などの携帯端末を用いるようにすることもできる。
【０２４７】
［第７の実施形態−情報処理システムの実施形態］
図２９に示した第６の実施形態では、携帯電話端末６３などの携帯端末の記憶部のみを利用するようにした。しかし、この携帯端末に、第４の実施形態のサーバ装置と同様の機能を持たせるようにすることもできる。その場合には、第４の実施形態と同様に、テレビ受信機などは、プロファイル情報を利用して推薦対象を推薦する機能を備える推薦装置とすることができる。そして、携帯端末は、推薦装置に公開プロファイル情報部分を送信するプロファイル情報提供装置（あるいは情報処理装置）とすることができる。第７の実施形態の情報処理システムは、その場合の例である。
【０２４８】
図３０は、この第７の実施形態の情報処理システムの構成例を示すもので、推薦装置がテレビ受信機７の場合で、また、プロファイル情報提供装置としての携帯端末が携帯電話端末８の場合である。この第７の実施形態の場合、図３０に示すように、テレビ受信機７には、携帯電話端末８との間で近距離無線通信を行なうための近距離無線通信部の受信部７１が設けられる。
【０２４９】
この第７の実施形態におけるテレビ受信機７のハードウエア構成例を、図３１に示す。この図３１において、第１の実施形態のテレビ受信機１と同一の構成部分については同一の参照番号を付し、その詳細な説明は省略する。
【０２５０】
すなわち、この第７の実施形態におけるテレビ受信機７においては、テレビ受信機としての本来の機能部１０は、第１の実施形態のテレビ受信機１と全く同様である。一方、テレビ受信機１の推薦装置としての機能部１００のうち、テレビ受信機７は、コンテンツ推薦部１０５を有するのみで、その他の処理部は設けられていない。つまり、テレビ受信機７は、カメラ部１ＣＡＭと、マイクロホン１ＭＣと、通信インターフェース１０１と、家族識別情報記憶部１０２と、撮像画像データ処理部１０３と、音声データ処理部１０４と、公開レベル設定部１０６と、公開プロファイル情報部分抽出部１０７と、パターン記憶部１０８と、パターンマッチング部１０９とは有しない。
【０２５１】
その代わりに、システムバス２１には、前述した受信部７１を備える近距離無線通信部１１４が接続されている。
【０２５２】
また、プロファイル情報提供端末の例としての携帯電話端末８のハードウエア構成例を、図３２に示す。
【０２５３】
図３２に示すように、携帯電話端末８においては、本来の機能部として、無線電話通信部８１と、通話音声処理部８２と、ユーザインターフェース８９とがシステムバス３０１を通じて、マイクロコンピュータからなる制御部３００と接続されている。また、ディスプレイ９０がディスプレイインターフェース９１を通じてシステムバス３０１に接続され、カメラ部９２がカメラインターフェース９３を通じてシステムバス３０１に接続されている。
【０２５４】
無線電話通信部８１で受信された相手方の通話音声情報は、通話音声処理部８２を通じてＤ／Ａ変換器８３に供給されてアナログ音声信号に変換され、アンプ８４を通じて受話用スピーカ８５に供給されて音響再生される。また、送話音声は、マイクロホン８６で収音され、アンプ８７を通じてＡ／Ｄ変換器８８でデジタル信号に変換され、通話音声処理部８２を通じて無線電話通信部８１に供給されて、相手方に送信される。
【０２５５】
そして、この実施形態の携帯電話端末８は、プロファイル情報提供装置の機能部として、プロファイル格納部３０２と、公開プロファイル情報部分抽出部３０３と、撮像画像データ処理部３０４と、音声データ処理部３０５と、公開レベル設定部３０６と、パターン記憶部３０７と、公開レベル切換判定部３０８と、近距離無線通信部３０９とがシステムバス３０１に接続されて設けられる。
【０２５６】
また、携帯電話端末８は、周囲環境の音声を収音するためのマイクロホン８ＭＣを備え、このマイクロホン８ＭＣで収音された音声信号は、アンプ３１０を通じてＡ／Ｄ変換器３１１に供給されてデジタル音声信号に変換され、Ｉ／Ｏポート３１２を通じてシステムバス３０１に供給されるように構成されている。
【０２５７】
プロファイル格納部３０２、公開プロファイル情報部分抽出部３０３、撮像画像データ処理部３０４、音声データ処理部３０５、公開レベル設定部３０６、パターン記憶部３０７、公開レベル切換判定部３０８のそれぞれは、上述した第１の実施形態のプロファイル格納部５Ｍ、公開プロファイル情報部分抽出部１０７、撮像画像データ処理部１０３、音声データ処理部１０４、公開レベル設定部１０６、パターン記憶部１０８、公開レベル切換判定部１０９のそれぞれに対応するもので、同様の構成を備えて、上述したような処理動作を行うことができるものである。
【０２５８】
ただし、プロファイル格納部３０２には、当該携帯電話端末８を利用するユーザのプロファイル情報のみが格納されている。
【０２５９】
なお、公開プロファイル情報部分抽出部３０３、撮像画像データ処理部３０４、音声データ処理部３０５、公開レベル設定部３０６、公開レベル切換判定部３０８のそれぞれは、前述例と同様に、ソフトウエアプログラムによる処理機能部として構成することもできる。
【０２６０】
この第７の実施形態においては、前述の例のような、ユーザが所有する携帯電話端末８から当該ユーザの公開プロファイル情報部分が、推薦装置に提供される構成であるので、ユーザの個人識別機能は不要である。ただし、複数人のユーザからの公開プロファイル情報部分を識別するために、それぞれのユーザの公開プロファイル情報部分を区別する必要があるので、そのための情報としては、例えば携帯電話端末の識別情報（例えば電話番号）や、ユーザが予め登録した識別情報を用いるようにする。
【０２６１】
図３３に、携帯電話端末８における公開プロファイル情報部分の生成および推薦装置への送信の処理動作例のフローチャートを示す。この図３３のフローチャートの各ステップは、制御部３００の制御の下に、前述したプロファイル情報提供装置としての各機能部が実行するものである。
【０２６２】
先ず、制御部３００は、カメラ部９２からの撮像画像データや、マイクロホン８ＭＣで収音された音声データについて、撮像画像データ処理部３０４や音声データ処理部３０５で画像認識処理や音声認識処理を行なわせて、周囲環境状況が、ユーザ一人の状況か、複数人の状況かを調査し、その調査結果を公開レベル設定部３０６に通知する（ステップＳ１５１）。
【０２６３】
公開レベル設定部３０６は、この周囲環境状況調査の調査結果を受けて、一人で視聴する環境であるか否か判別し（ステップＳ１５２）、一人で視聴する環境であると判別したときには、公開レベルを、一人視聴用として、例えばプライバシーレベルの最高レベル（前述の例ではレベル５）までの全てを公開するレベルＬＡに設定し、当該設定した公開レベルＬＡを公開プロファイル情報部分抽出部３０３に渡す（ステップＳ１５３）。
【０２６４】
また、公開レベル設定部３０６は、ステップＳ１５２で複数人で視聴する環境状況であると判別したときには、公開レベルを、複数人視聴用として、例えばレベルＬＡよりも低いレベルＬＢ、例えばプライバシーレベルのレベル２までを公開するレベルに設定し、当該設定した公開レベルＬＢを公開プロファイル情報部分抽出部３０３に渡す（ステップＳ１５４）。
【０２６５】
公開プロファイル情報部分抽出部３０３は、ステップＳ１５３で設定された公開レベルＬＡまたはＬＢに基づいて、公開が許容されるプライバシーレベルを認識して、当該公開が許容されるプライバシーレベルが付与されているプロファイル情報部分を、プロファイル格納部３０２に記憶されているプロファイル情報から抽出して、公開プロファイル情報部分を生成する（ステップＳ１５５）。
【０２６６】
そして、制御部３００は、公開プロファイル情報部分抽出部３０３で生成された公開プロファイル情報部分を、近距離無線通信部３０９を通じて推薦装置としてのテレビ受信機７に送信する（ステップＳ１５６）。
【０２６７】
次に、携帯電話端末８における公開レベルの切換変更設定による公開プロファイル情報部分変更処理例について、図３４のフローチャートを参照して説明する。
【０２６８】
制御部３００は、公開レベル切換判定部３０８に指示して、ユーザによる公開レベルの切り換え動作がなされたか否か判別させるようにする（ステップＳ１６１）。ここで、このユーザによる公開レベルの切り換え動作は、前述したように、パターン記憶部３０７の切換制御パターン辞書に、切換制御パターンとして登録されているジェスチャーや、発声語パターンの音声入力である。
【０２６９】
なお、この第７の実施形態では、携帯端末で公開レベルを切り換えることができるので、これらのジェスチャーや発声語パターンを用いるのではなく、携帯端末が備える操作ボタンによる公開レベルの切換操作を用いるようにすることもできる。
【０２７０】
ステップＳ１６１で、公開レベル切換判定部３０８が公開レベルの切換はないと判別したときには、この処理ルーチンを終了する。また、ステップＳ１６１で、公開レベルの切換制御パターンを検知したことによる公開レベルの切り換えがあったと判別したときには、公開レベル切換判定部３０８は、パターン記憶部３０７の切換制御パターン辞書を参照して、その検知した切換制御パターンに対応する公開レベルＬＣを、切り換え後の公開レベルとして取得し、公開プロファイル情報部分抽出部３０３に通知する（ステップＳ１６２）。
【０２７１】
公開プロファイル情報部分抽出部３０３は、ステップＳ１６２で設定された公開レベルＬＣに基づいて、公開が許容されるプライバシーレベルを認識して、当該公開が許容されるプライバシーレベルが付与されているプロファイル情報部分を、プロファイル格納部３０２に記憶されているプロファイル情報から抽出して、公開プロファイル情報部分を再生成する（ステップＳ１６３）。
【０２７２】
そして、制御部３００は、公開プロファイル情報部分抽出部３０３で再生成された公開プロファイル情報部分を、近距離無線通信部３０９を通じて推薦装置としてのテレビ受信機７に送信する（ステップＳ１６４）。
【０２７３】
次に、テレビ受信機７側での対応処理例について、図３５のフローチャートを参照しながら説明する。
【０２７４】
テレビ受信機７の制御部２０は、携帯電話端末８からの公開プロファイル情報部分を受信して、コンテンツ推薦部１０５が備える公開プロファイル情報部分の一時格納部に、受信した公開プロファイル情報部分を一時格納する（ステップＳ１７１）。
【０２７５】
次に、コンテンツ推薦部１０５は、一時格納部に、複数人の公開プロファイル情報部分を受信格納したか否か判別し（ステップＳ１７２）、複数人分であると判別したときには、受信した公開プロファイル情報部分を、前述したようにしてマージし（ステップＳ１７３）、その後、ステップＳ１７４に進む。
【０２７６】
また、ステップＳ１７２で、一時格納部の公開プロファイル情報部分は、一人分のみであると判別したときには、そのままステップＳ１７４に進む。
【０２７７】
ステップＳ１７４においては、コンテンツ推薦部１０５は、公開プロファイル情報部分を用いて放送番組コンテンツを推薦する処理を実行する（ステップＳ１７４）。
【０２７８】
次に、制御部３００は、新たに、公開プロファイル情報部分を受信したか否か判別し（ステップＳ１７５）、受信したと判別したときには、放送番組コンテンツを推薦するのに用いる公開プロファイル情報部分を更新する（ステップＳ１７６）。
【０２７９】
このステップＳ１７６における公開プロファイル情報部分の更新処理においては、既に受信しているユーザの公開プロファイル情報部分が公開レベルが切り換えられたことにより、変更されたものを用いて更新する場合と、別のユーザの公開プロファイル情報部分を受信したことにより、その受信した別のユーザの公開プロファイル情報部分を、受信済の公開プロファイル情報部分とマージして更新する場合の両方を含む。
【０２８０】
このステップＳ１７６の次には、ステップＳ１７４に戻り、コンテンツ推薦部１０５は、更新された公開プロファイル情報部分を用いて放送番組コンテンツの推薦処理を、再度、実行するようにする。そして、このステップＳ１７４以降の処理を繰り返す。
【０２８１】
そして、ステップＳ１７５で、新たに、公開プロファイル情報部分を受信してはいないと判別したときには、制御部３００は、推薦処理の終了指示がユーザからなされたか否か判別し（ステップＳ１７７）、なされていないと判別したときには、ステップＳ１７５に戻り、このステップＳ１７５以降を繰り返す。また、ステップＳ１７７で、終了指示がユーザからなされたと判別したときには、制御部３００は、この処理ルーチンを終了する。
【０２８２】
この第７の実施形態によれば、携帯電話端末８のような、プロファイル情報提供装置としての機能を備える携帯端末をユーザは持ち歩くだけで、上述のテレビ受信機７と同様の推薦処理部を備える推薦装置において、その推薦対象の推薦を受けることができる。そして、その場合に、ユーザは、自分が秘匿したいプロファイル情報を秘匿しながら、推薦対象の推薦サービスを受けることができるという効果がある。
【０２８３】
すなわち、上述の第１の実施形態では、サーバ装置にプロファイル情報が登録されていないユーザは、コンテンツ推薦を受けることができないが、第７の実施形態のように、ユーザが個人的に所有するプロファイル情報提供手段を用いるようにすれば、いつでもどこでも推薦機能を持つ電子機器に当該プロファイル情報を渡すことで、コンテンツ推薦を受けることができる。
【０２８４】
なお、上述の第１の実施形態の説明では、切換制御パターンは、自動的に設定された公開レベルの切換のために用いられるようにしたが、第７の実施形態においては、上述した切換制御パターンを、初期的な公開レベルを設定するための手段として用いることもできる。
【０２８５】
また、プロファイル情報提供装置の例としての携帯端末は、上述した携帯電話端末に限らず、ＰＤＡに上記のプロファイル情報提供機能を設けた構成としても良いし、専用のプロファイル情報提供装置を、専用の携帯端末で構成しても良い。
【０２８６】
［上述の実施形態の効果］
上述した実施形態においては、ユーザプロファイル情報に、プライバシーレベルを設定し、公開レベルをこのプライバシーレベルを用いて設定することで、状況に応じたプロファイル情報の公開ができるため、ユーザ自身のプロファイル情報を様々な環境で使用することが可能となる。
【０２８７】
また、公開レベルとするプライバシーレベルの切り換えは、ジェスチャ、登録語パターンの発声などの自然な動作の組み合わせにより行うことで、ユーザビリティの向上が可能になる。
【０２８８】
また、要素パターンとしてのジェスチャー、登録語パターンの組み合わせによる切換制御パターンは、各ユーザが独自に作成することができ、かつ、同一内容の公開レベルの切換制御に対しても複数の切換制御パターンが登録することができるため、より柔軟に状況に対応することが可能である。
【０２８９】
また、切換制御パターンは、ユーザ独自の登録のため、複数人が存在する環境状況でのプロファイル共有の際に、他の者に、自身が公開するレベルを知られることなく、レベル設定することが可能となる。
【０２９０】
また、上述の実施形態においては、複数人が公開したプロファイル情報を、マージすることで、各自のプライバシーレベル内での嗜好を考慮したプロファイルを生成することが可能である。そして、マージしたプロファイル情報を基に、各種推薦などを行うことが可能となる。
【０２９１】
［その他の実施形態または変形例］
上述の実施形態では、公開レベルは、初期的には自動的に、利用者の周囲環境状況に応じて設定するようにしたが、予め、初期的な公開レベルを登録しておいても勿論よい。また、ユーザが公開レベルを設定入力するようにしても勿論よい。
【０２９２】
特に、第７の実施形態のようなプロファイル情報を推薦装置に提供するプロファイル提供装置（情報処理装置）の実施形態の場合であれば、ユーザが公開レベルを手入力で設定することが容易であるし、周囲に他の者がいても、それらの者に気づかれないように公開レベルを設定入力することも可能である。
【０２９３】
また、上述の実施形態では、撮像画像データや収音音声データから、周囲環境状況を調査して利用者が一人か、複数人かを判定して、その判定に基づいて、公開レベルを自動設定するようにしたが、撮像画像データや収音音声データから判定することができる状況は、このような人数状況に限られるわけではない。
【０２９４】
例えば、撮像画像からは、顔の向き、視線、まばたき、姿勢、体動、行動などを読み取ることができ、これらの読み取り情報から、ユーザの状況、あるいはユーザ周囲環境の状況を把握して、ユーザが緊張しており公開レベルを低くした方が良い状況か、リラックスしていて、公開レベルを高くしても良い状況かなどを判定することができる。そして、その判定結果から公開レベルを自動設定するようにすることができる。
【０２９５】
また、マイクロホンの収音音声からは、音声の大きさ、トーン、ゆらぎなどを読み取ることができ、これらに基づいても、ユーザの状況、あるいはユーザ周囲環境の状況を把握して、公開レベルを自動設定することができる。ここで、音のゆらぎとは、時間的に連続して収音した音声のデータから、音の規則性、不規則性を検出した情報である。
【０２９６】
また、ユーザに生体センサを装着し、その生体センサにより、ユーザの脈拍、発汗、体温、などの生体情報を取得し、当該取得した生体情報を用いて、ユーザが緊張している環境かどうかなどを判断して、公開レベルを設定するようにすることもできる。特に、前述した第７の実施形態のプロファイル情報提供装置の実施形態の場合には、携帯端末としての当該プロファイル情報提供装置をユーザが手で保持する部位などに、生体センサを設けて、ユーザの生体情報を取得することが容易にできる。
【図面の簡単な説明】
【０２９７】
【図１】この発明のよる情報処理システムの第１の実施形態の概要を説明するための図である。
【図２】図１の実施形態の情報処理システムのサーバ装置におけるプロファイル格納部の格納情報の例を説明するための図である。
【図３】プロファイル情報の例を示す図である。
【図４】図１の実施形態の情報処理システムを構成する推薦装置の例としてのテレビ受信機のハードウエア構成例を示すブロック図である。
【図５】図４のテレビ受信機の家族識別情報記憶部の記憶内容の例を説明するための図である。
【図６】図４のテレビ受信機のパターン記憶部の記憶内容の例を説明するための図である。
【図７】図４のテレビ受信機のパターン記憶部の記憶内容の例を説明するための図である。
【図８】図４のテレビ受信機のパターン記憶部の記憶内容の例を説明するための図である。
【図９】図１の実施形態の情報処理システムを構成する推薦装置の例としてのテレビ受信機における処理動作を説明するためのフローチャートである。
【図１０】図１の実施形態の情報処理システムを構成する推薦装置の例としてのテレビ受信機における処理動作を説明するためのフローチャートである。
【図１１】図１の実施形態の情報処理システムを構成する推薦装置の例としてのテレビ受信機における処理動作を説明するためのフローチャートである。
【図１２】図１の実施形態の情報処理システムを構成するサーバ装置における処理動作を説明するためのフローチャートである。
【図１３】プロファイル情報の項目候補を説明するための図である。
【図１４】プロファイル情報と、そのプライバシーレベルとを説明するための図である。
【図１５】図１の実施形態の情報処理システムを構成する推薦装置の例としてのテレビ受信機における処理動作を説明するためのフローチャートである。
【図１６】図１の実施形態の情報処理システムを構成する推薦装置の例としてのテレビ受信機における処理動作を説明するためのフローチャートである。
【図１７】図１の実施形態の情報処理システムを構成する推薦装置の例としてのテレビ受信機における処理動作を説明するためのフローチャートである。
【図１８】図１の実施形態の情報処理システムを構成する推薦装置の例としてのテレビ受信機における処理動作を説明するためのフローチャートである。
【図１９】図１の実施形態の情報処理システムを構成する推薦装置の例としてのテレビ受信機における処理動作を説明するためのフローチャートである。
【図２０】図１の実施形態の情報処理システムを構成する推薦装置の例としてのテレビ受信機における処理動作を説明するためのフローチャートである。
【図２１】図１の実施形態の情報処理システムを構成する推薦装置の例としてのテレビ受信機における処理動作を説明するためのフローチャートである。
【図２２】この発明の実施形態において、推薦に利用される公開プロファイル情報部分を説明するための図である。
【図２３】この発明のよる情報処理システムの第２の実施形態の概要を説明するための図である。
【図２４】この発明のよる情報処理システムの第４の実施形態を構成するサーバ装置のハードウエア構成例を示すブロック図である。
【図２５】この発明のよる情報処理システムの第４の実施形態を構成する推薦装置の例としてのテレビ受信機の処理動作を説明するためのフローチャートである。
【図２６】この発明のよる情報処理システムの第４の実施形態を構成するサーバ装置の処理動作を説明するためのフローチャートである。
【図２７】この発明のよる情報処理システムの第４の実施形態を構成するサーバ装置の処理動作を説明するためのフローチャートである。
【図２８】この発明のよる情報処理システムの第６の実施形態の概要を説明するための図である。
【図２９】この発明のよる情報処理システムの第６の実施形態の他の例の概要を説明するための図である。
【図３０】この発明のよる情報処理システムの第７の実施形態の概要を説明するための図である。
【図３１】この発明のよる情報処理システムの第６の実施形態を構成する推薦装置の例としてのテレビ受信機のハードウエア構成例を示すブロック図である。
【図３２】この発明のよる情報処理システムの第６の実施形態を構成するプロファイル情報提供装置の例としての携帯電話端末のハードウエア構成例を示すブロック図である。
【図３３】図３２の携帯電話端末における処理動作を説明するためのフローチャートである。
【図３４】図３２の携帯電話端末における処理動作を説明するためのフローチャートである。
【図３５】図３１のテレビ受信機における処理動作を説明するためのフローチャートである。
【符号の説明】
【０２９８】
１…テレビ受信機、５…サーバ装置、５Ｍ…プロファイル格納部、１０５…コンテンツ推薦部、１０６…公開レベル設定部、１０７…公開プロファイル情報部分抽出部、１０８…パターン記憶部、１０９…公開レベル切換判定部、１ＣＡＭ…カメラ部、１ＭＣ…マイクロホン
【図１】
2009140051.tif 000003
【図２】
2009140051.tif 000004
【図３】
2009140051.tif 000005
【図４】
2009140051.tif 000006
【図５】
2009140051.tif 000007
【図６】
2009140051.tif 000008
【図７】
2009140051.tif 000009
【図８】
2009140051.tif 000010
【図９】
2009140051.tif 000011
【図１０】
2009140051.tif 000012
【図１１】
2009140051.tif 000013
【図１２】
2009140051.tif 000014
【図１３】
2009140051.tif 000015
【図１４】
2009140051.tif 000016
【図１５】
2009140051.tif 000017
【図１６】
2009140051.tif 000018
【図１７】
2009140051.tif 000019
【図１８】
2009140051.tif 000020
【図１９】
2009140051.tif 000021
【図２０】
2009140051.tif 000022
【図２１】
2009140051.tif 000023
【図２２】
2009140051.tif 000024
【図２３】
2009140051.tif 000025
【図２４】
2009140051.tif 000026
【図２５】
2009140051.tif 000027
【図２６】
2009140051.tif 000028
【図２７】
2009140051.tif 000029
【図２８】
2009140051.tif 000030
【図２９】
2009140051.tif 000031
【図３０】
2009140051.tif 000032
【図３１】
2009140051.tif 000033
【図３２】
2009140051.tif 000034
【図３３】
2009140051.tif 000035
【図３４】
2009140051.tif 000036
【図３５】
2009140051.tif 000037